(57)【要約】【課題】好適な位相ベクトルを選択する能力を有しても、送信器側に不当な処理負荷をかけない通信方法等を提供することである。【解決手段】  複数の信号であって各々がデータを担う信号を、送信器が１つ以上の受信器に同時に送信する通信方法である。前記送信器において、複数の利用可能位相ベクトルから好適な位相ベクトルを選択して前記複数の信号に適用する段階であって、前記利用可能位相ベクトルは各々が複数の位相要素を有し、各位相要素は前記信号のうち１つ以上の信号に対応して、前記送信器が前記対応する信号に適用すべき位相調整を設定する段階を有する。前記好適な位相ベクトルの選択は、前記複数の利用可能位相ベクトル内の第１の利用可能位相ベクトルのセットに属する位相ベクトルに最初は限定され、前記第１のセット内に好適な位相ベクトルが見つからない時に前記第１のセット外のさらに別の位相ベクトルに拡張される。【選択図】図３
2007124656.tif 000002
【特許請求の範囲】
【請求項１】
複数の信号であって各々がデータを担う信号を、送信器が１つ以上の受信器に同時に送信する通信方法であって、
前記送信器において、複数の利用可能位相ベクトルから好適な位相ベクトルを選択して前記複数の信号に適用する段階であって、前記利用可能位相ベクトルは各々が複数の位相要素を有し、各位相要素は前記信号のうち１つ以上の信号に対応して、前記送信器が前記対応する信号に適用すべき位相調整を設定する段階を有し、
前記好適な位相ベクトルの選択は、前記複数の利用可能位相ベクトル内の第１の利用可能位相ベクトルのセットに属する位相ベクトルに最初は限定され、前記第１のセット内に好適な位相ベクトルが見つからない時に前記第１のセット外のさらに別の位相ベクトルに拡張されることを特徴とする方法。
【請求項２】
複数の信号であって各々がデータを担う信号を、１つ以上の受信器に同時に送信するように構成された送信器であって、
複数の利用可能位相ベクトルから好適な位相ベクトルを選択して前記複数の信号に適用する位相ベクトル選択手段であって、前記利用可能位相ベクトルは各々が複数の位相要素を有し、各位相要素は前記信号のうち１つ以上の信号に対応して、前記送信器が前記対応する信号に適用すべき位相調整を設定する位相ベクトル選択手段を有し、
前記位相ベクトル選択手段は、前記複数の利用可能位相ベクトル内の第１の利用可能位相ベクトルのセットに属する位相ベクトルに前記好適な位相ベクトルの選択を最初は限定し、前記第１のセット内に好適な位相ベクトルが見つからない時に前記第１のセット外のさらに別の位相ベクトルにその選択を拡張することを特徴とする送信器。
【請求項３】
送信器により同時に送信された複数の信号を受信するように構成された受信器であって、前記送信器は複数の利用可能位相ベクトルから選択した位相ベクトルを前記複数の信号を送信するときに適用しており、前記利用可能位相ベクトルの各々は複数の位相要素を有し、その各々は前記信号の１つ以上に対応し、前記送信器が前記対応する信号に適用する位相調整を設定し、前記各信号はデータを担い、前記受信器は、
前記受信した複数の信号から前記データを回復するため、複数のトライアル位相ベクトルのうちのトライアル位相ベクトルを用いて前記受信した複数の信号を処理する処理手段であって、前記複数のトライアル位相ベクトルは前記送信器の前記複数の利用可能位相ベクトルにそれぞれ対応するところの処理手段と、
前記複数の利用可能位相ベクトルのうち限定された利用可能位相ベクトルのセットを識別するために使用する情報を前記送信器から受信する受信手段であって、前記選択された位相ベクトルは前記限定されたセットに属するところの受信手段と、
前記処理手段により前記処理を、前記限定されたセットの利用可能位相ベクトルにそれぞれ対応するトライアル位相ベクトルに限定する限定手段と、を有することを特徴とする受信器。
【請求項４】
送信器により同時に送信された複数の信号を受信するように構成された受信器であって、前記送信器は複数の利用可能位相ベクトルから選択した位相ベクトルを前記複数の信号を送信するときに適用しており、前記利用可能位相ベクトルの各々は複数の位相要素を有し、その各々は前記信号の１つ以上に対応し、前記送信器が前記対応する信号に適用する位相調整を設定し、前記各信号はデータを担い、前記受信器は、
前記複数の利用可能位相ベクトルのうち限定された利用可能位相ベクトルのセットを識別するために使用する情報を前記送信器から受信する受信手段であって、前記選択された位相ベクトルは前記限定されたセットに属するところの受信手段と、
最初、前記複数のトライアル位相ベクトル内の第１のトライアル位相ベクトルのセットのトライアル位相ベクトルに前記処理手段による処理を限定し、前記第１のセットのトライアル位相ベクトルのいずれでも十分なデータ回復ができない場合、前記第１のセット外の遺贈ベクトル前記処理を拡張するように動作する限定手段と、を有することを特徴とする受信器。
【請求項５】
複数の信号であって各々がデータを担う信号を、送信器が１つ以上の受信器に同時に送信する通信方法であって、
前記送信器において、複数の利用可能位相ベクトルから好適な位相ベクトルを選択して前記複数の信号に適用する段階であって、前記利用可能位相ベクトルは各々が複数の位相要素を有し、各位相要素は前記信号のうち１つ以上の信号に対応して、前記送信器が前記対応する信号に適用すべき位相調整を設定する段階と、
前記受信器において、前記受信した複数の信号から前記データを回復するために複数のトライアル位相ベクトルのうちのトライアル位相ベクトルを用いて前記受信した複数の信号を処理する段階であって、前記複数のトライアル位相ベクトルは前記送信器の前記複数の利用可能位相ベクトルにそれぞれ対応するところの段階と、を有し、
前記送信器は前記複数の利用可能位相ベクトルのうち限定された位相ベクトルのセットを識別する情報を前記受信器に送信し、前記選択された位相ベクトルは前記限定されたセットに属し、
前記受信器は前記受信した情報を用いて前記限定されたセットを識別し、前記データを回復するために処理するトライアル位相ベクトルを、前記限定されたセットの利用可能位相ベクトルにそれぞれ対応するトライアル位相ベクトルに限定することを特徴とする方法。
【請求項６】
複数の信号であって各々がデータを担う信号を１つ以上の受信器に同時に送信するように構成された送信器であって、
複数の利用可能位相ベクトルから好適な位相ベクトルを選択して前記複数の信号に適用する位相ベクトル選択手段であって、前記利用可能位相ベクトルは各々が複数の位相要素を有し、各位相要素は前記信号のうち１つ以上の信号に対応して、前記送信器が前記対応する信号に適用すべき位相調整を設定する位相ベクトル選択手段と、
前記複数の利用可能位相ベクトル内の限定された位相ベクトルのセットを識別する情報を前記受信器に送信するように動作する送信手段であって、前記選択された位相ベクトルは前記限定されたセットに属するところの送信手段と、を有することを特徴とする送信器。
【請求項７】
複数の信号であって各々がデータを担う信号を、送信器が１つ以上の受信器に一連の時間に送信する通信方法であって、
前記送信器において、前記時間の各々において送信された前記複数の信号に適用する、複数の利用可能位相ベクトルから好適な位相ベクトルを選択する段階と、各利用可能位相ベクトルは複数の位相要素を有し、各要素は前記信号ののうち１つ以上の信号に対応し、前記送信器により適用される位相調整を前記時間に送信される対応する信号に設定する段階と、
各時間において前記複数の信号の送信のために、前記送信器により選択された位相ベクトルを識別する、前記受信器により使用される識別情報を前記送信器から前記受信器に送信する段階と、を有し、
前記時間の１つにおける送信のための前記識別情報は、前記情報の量、前記情報のフォーマット、及び前記情報の精度の少なくとも１つにおいて、前記時間の他の１つにおける送信のための識別情報と異なることを特徴とする通信方法。
【請求項８】
一連の時間に１つ以上の受信器に複数の信号であって各々がデータを担う信号を同時に送信するように構成された送信器であって、
前記時間の各々において送信される前記複数の信号に適用する、複数の利用可能位相ベクトルから好適な位相ベクトルを選択する位相ベクトル選択手段であって、各利用可能位相ベクトルは複数の位相要素を有し、各要素は前記信号ののうち１つ以上の信号に対応し、前記送信器により適用される位相調整を前記時間に送信される対応する信号に設定するところの位相ベクトル選択手段と、
各時間において前記複数の信号の送信のために、前記送信器により選択された位相ベクトルを識別する、前記受信器により使用される識別情報を、前記送信器から前記受信器に送信する送信手段と、を有し、
前記時間の１つにおける送信のための前記識別情報は、前記情報の量、前記情報のフォーマット、及び前記情報の精度の少なくとも１つにおいて、前記時間の他の１つにおける送信のための識別情報と異なることを特徴とする送信器。
【請求項９】
一連の時間において送信器により同時に送信される複数の信号を受信するように構成された受信器であって、各信号はデータを担い、前記送信器は複数の利用可能位相ベクトルから選択した位相ベクトルを前記複数の信号を送信の時に適用し、各利用可能位相ベクトルは複数の位相要素を有し、各位相要素は前記信号の１つ以上に対応し、前記時間において送信される前記対応する信号に前記送信器により適用される位相調整を設定し、前記受信器は、
各時間において前記複数の信号の送信のために、前記送信器により選択された前記位相ベクトルを識別する、前記受信器により使用される識別情報を、前記送信器から受信する情報受信手段を有し、
前記時間の１つにおける送信のための前記受信した識別情報は、前記時間の他の１つにおける送信のための前記受信した識別情報と、少なくとも前記情報の量、前記情報のフォーマット、及び前記情報の精度において異なり、
前記受信器は、さらに、
情報の量、フォーマット、または精度により、各時間における送信のための前記識別情報を処理するよう動作する識別情報処理手段と、
前記受信した複数の信号から前記データを回復するために慚愧処理された識別情報を利用するよう動作するデータ回復手段と、を有することを特徴とする受信器。
【発明の詳細な説明】
【技術分野】
【０００１】
本発明は、通信システム及び方法に関する。該通信システム及び方法においては、送信器が複数の信号を同時に１つ以上の受信器に送信し、位相ベクトルを利用可能な位相ベクトルのセットから選択して前記複数の信号に適用する。本発明は、例えば、直交周波数分割多重（ＯＦＤＭ）通信システム及び方法に適用可能である。
【背景技術】
【０００２】
ＯＦＤＭ通信システムでは、複数（Ｎ個）のサブキャリアを利用して、データを送信器から１つ以上の受信器に送信する。サブキャリアの数Ｎは比較的大きく、例えばＮ＝５１２である。ＯＦＤＭ通信システムで生じる問題の１つは、ピーク対平均のパワー比（以下、ＰＡＰＲ：Peak-to-Average-Power-Ratio）が高くなりやすいことである。ピークパワーは、一般的に、サブキャリアの数に応じて大きくなる。ＰＡＰＲが高いと、ダイナミックレンジが非常にひろい増幅器が送信器で必要となる。これは望ましくない。
【０００３】
ＯＦＤＭ通信システムにおいてＰＡＰＲの問題を解決する多数の方法が提案されている。
【０００４】
例えば、送信器のハイパワーリニア増幅器で使用するバックオフ方法が提案されている。このバックオフ方法により、増幅器への入力パワーを下げることにより、マルチキャリア信号が線形の範囲内に維持される。この効果として、信号の歪みを減らすために、ハイパワーリニア増幅器の動作点が下がる。しかし、バックオフの程度が大きいと、増幅器の利用効率が下がる。従って、信号のＰＡＰＲが高いと、リニア増幅器の効率は低下する。
【０００５】
提案されている他の方法であってマルチキャリア信号の振幅を増幅器のリニアな動作範囲内にするものは、クリッピング法である。この方法では、信号振幅が事前に設定した所定基準クリッピング値より大きくなると、その基準クリッピング値より大きい信号振幅の部分が削除すなわちクリッピングされる。しかし、クリッピング法では、ノンリニア動作により対域内歪みが生じ、シンボル間干渉及びビットエラー率が高くなる。さらにまた、クリッピング法では、帯域外ノイズによりチャネル干渉が生じ、それによりスペクトル効率が悪くなる。
【０００６】
ブロックコーディング法では、追加サブキャリアを設けて、サブキャリアのセット全体（すなわち、データ送信用のサブキャリアとブロックコーディング用の追加サブキャリア）のＰＡＰＲを下げるように符号化して送信する。この方法では、追加サブキャリアの符号化により信号を歪めないでエラー訂正して、ＰＡＰＲを低減させることができる。しかし、サブキャリアの振幅が大きいとき、この方法のスペクトル効率は非常に悪くなり、大きなルックアップテーブルや生成行列が必要となる。これにより、送信器側の処理負荷が増大する。
【０００７】
トーンリザベーション（ＴＲ：Tone  Reservation）法では、利用可能なサブキャリアのセット全体から一部のサブキャリアを確保（reserve）してＰＡＰＲを低減させる。確保されたサブキャリアはデータを担わない。受信器はデータを担ってないサブキャリアを無視して、残りのサブキャリアからデータを回復する。これによりレシーバの構成を簡単化することができる。
【０００８】
また、グラディエントアルゴリズムが提案されている。このアルゴリズムは、ＴＲ法にクリッピング法を適用するものである。この場合、インパルス特性を有する信号を、データを担ってないサブキャリアを用いて発生し、逆高速フーリエ変換（ＩＦＦＴ）出力信号を、そのインパルス特性を有する信号を用いてクリッピングする。発生されたインパルス特性を有する信号をＩＦＦＴ出力信号に加えても、データ歪みが生じるのはデータを担っていない一部のサブキャリアだけであり、データを担っているその他のサブキャリアには生じない。
【０００９】
また、アナログ符号化法もある。大きい振幅をアナログ回路でクリッピングすると、ノイズが増加する。原理的に示されたところによると、いわゆるアナログ符号（複素数のリードソロモン符号）を用いてこのノイズをなくす。
【００１０】
ＰＡＰＲ問題を解決する方法として、位相調整法も提案されている。位相調整法には部分送信シーケンス（ＰＴＳ：:  Partial  Transmit  Sequence）法と選択マッピング（ＳＬＭ：SeLected  Mapping）法が含まれる。
【００１１】
ＰＴＳ法では、入力データはＭ個のサブブロックに分割され、その各々にＬ点ＩＦＦＴをかけた後、ＰＡＰＲを最小化する位相ファクタを乗ずる。最後にＭ個のサブブロックを足し合わせて送信する。
【００１２】
ＳＬＭ法では、ＯＦＤＭシンボルを構成するデータのブロックにＵ（Ｕ＞１）個の利用可能な位相ベクトルを乗ずる。利用可能な各位相ベクトルは、Ｎ個の位相要素を有し、各位相要素はＮ個のサブキャリアの１つと個別に対応している。各位相要素は、送信器がデータブロックに対応するサブキャリアに適用する位相調整を設定する。この効果として、その所与のデータブロックに対してＵ個の統計的に独立な「候補」ＯＦＤＭシンボルが発生する。送信器はその候補シンボルのうち、ＰＡＰＲが最も低い１つを選択して、選択したシンボルを受信器に送信する。ここでは、その選択されたシンボルを作るのに使用された位相ベクトルは、選択位相ベクトル
【００１３】
【数１】
2007124656.tif 000003
と呼ぶ。
【００１４】
図１にはＳＬＭ法を用いたＯＦＤＭ通信システムの一部を示す。
【００１５】
図１の通信システムは、送信器１０と受信器２０とを有する。送信器１０は、利用可能位相ベクトル記憶部１２と、位相ベクトル選択部１４と、送信部１６とを含む。利用可能位相ベクトル記憶部１２は、Ｕ個の利用可能な位相ベクトルに関するデータを記憶している。各位相ベクトルは、Ｎ個の位相要素φ０、φ１、φ２、．．．、φＮ−１よりなる。よって、
【００１６】
【数２】
2007124656.tif 000004
位相ベクトル選択部１４は、記憶された利用可能位相ベクトルにアクセスするとともに、入力データのブロックＣを受け取る。この入力データのブロックＣは送信時間期間（ＴＴＩ：Transmission  Time  Interval）中に送信器１０が受信器２０に送信するものである。本発明の技術分野では周知であるように、ＯＦＤＭシンボルはＮ個の変調シンボルのブロックよりなる。Ｎ個の変調シンボルの各々はＮ個の直交サブキャリアの１つを用いて送信される。隣接するサブキャリアとのセパレーションはΔｆ＝１／Ｔである。ここで、ＴはＯＦＤＭ信号デュレーション（ＴＴＩデュレーション）である。結果として得られるマルチキャリア信号は次式で表される：
【００１７】
【数３】
2007124656.tif 000005
ここで、Ｃ＝（ｃ０  ｃ１  ．．．  ｃＮ−１）はコンステレーションのＮ個のコンステレーションシンボルのベクトルを表す。信号ｓ（ｔ）の場合、ＰＡＰＲは次式で与えられる：
【００１８】
【数４】
2007124656.tif 000006
ここで、Ｅは期待値を示す。
【００１９】
位相ベクトル選択部１４は入力データベクトルＣと各利用可能位相ベクトルＰｕとのベクトル積を計算し、Ｕ個の候補ＯＦＤＭシンボルを作る。ＰＡＰＲが最も低い候補シンボル
【００２０】
【数５】
2007124656.tif 000007
を選択し、送信部１６で送信する。従って、変調された各信号ｓｉは変調シンボルｃｉを担い、選択された位相ベクトル
【００２１】
【数６】
2007124656.tif 000008
により設定された位相調整
【００２２】
【数７】
2007124656.tif 000009
を受けている。
【００２３】
受信器２０において、ＦＦＴ復調後の受信信号は、次のように表される：
【００２４】
【数８】
2007124656.tif 000010
ここで、Ｈｎはｎ番目のサブキャリアのフェーディングチャネルの周波数応答を表し、ｎｎは複素加法白色ガウシアンノイズ（ＡＷＧＮ）を表す。
【００２５】
受信器は受信部２２を有する。この受信部２２は、選択されたＯＦＤＭシンボルに送信器で適用された位相調整を効果的に逆転するものである。式（４）から明らかなように、受信信号からデータを回復するためには、
【００２６】
【数９】
2007124656.tif 000011
の項が必要である。従って、選択された位相ベクトルの識別情報
【００２７】
【数１０】
2007124656.tif 000012
が受信器２０には必要である。
【００２８】
受信器が
【００２９】
【数１１】
2007124656.tif 000013
を必要とすることを考慮して、送信器１０は、各ＯＦＤＭシンボルに対して選択された位相ベクトルの識別情報
【００３０】
【数１２】
2007124656.tif 000014
を、受信器に送信する。しかし、これには少なくとも
【００３１】
【数１３】
2007124656.tif 000015
ビットが必要である。例えば、Ｕ＝２５６である場合、８個のシグナリングビットが必要である。実際のＯＦＤＭシステムでは、このシグナリングに要するオーバーヘッドは受け入れることができない。
【００３２】
選択された位相ベクトルの識別情報
【００３３】
【数１４】
2007124656.tif 000016
の送信に要するシグナリングオーバーヘッドを避けるため、ブラインドＳＬＭ受信器が提案されている（非特許文献１参照）。ブラインドＳＬＭ受信器は次に基づき機能する：（１）ｃｎは所与の信号コンステレーション（例えば、ＱＰＳＫ）に制約されている、（２）利用可能位相ベクトルのセットは一定であり、受信器はそれを知らされている、（３）
【００３４】
【数１５】
2007124656.tif 000017
と
【００３５】
【数１６】
2007124656.tif 000018
はｕ≠ｖであれば、実質的に異なる。換言すると、利用可能位相ベクトルのセットのハミング距離は大きく、内在的な多様性を有しており、受信器はそれを利用することができる。ブラインド受信器が動作する必要条件は、すべてのｎとｕに対して
【００３６】
【数１７】
2007124656.tif 000019
が成り立つことである。
【００３７】
利用可能位相ベクトルのセットを選択してこの条件を満たさせることは容易である。
【００３８】
チャネルには歪みがなくノイズもないと仮定すると、ブラインドＳＬＭ受信器は、送信器が、ＰＡＰＲが最小であるものとして決定したＯＦＤＭシンボル
【００３９】
【数１８】
2007124656.tif 000020
を受信する。次式が受信器により計算される：
【００４０】
【数１９】
2007124656.tif 000021
上述の仮定をしているので、
【００４１】
【数２０】
2007124656.tif 000022
でない限り、
【００４２】
【数２１】
2007124656.tif 000023
は選択された変調スキームのコンステレーションφのシンボルの有効なベクトルではない。
【００４３】
ブラインドＳＬＭ受信器の最適なディシジョンメトリック（decision  metric）は次式である：
【００４４】
【数２２】
2007124656.tif 000024
この最小化をするため、最小距離
【００４５】
【数２３】
2007124656.tif 000025
を決定する。ここで、
【００４６】
【数２４】
2007124656.tif 000026
はＰ０の共役複素数である。これを実行するには、符号化システムの場合はビタビアルゴリズムを用い、非符号化ｑ−ａｒｙ変調の場合はｑＮ個のデータシーケンスをすべて探索する。この最小距離の決定を利用可能位相ベクトルのそれぞれに対して繰り返す。グローバルな最小距離解によりｃと
【００４７】
【数２５】
2007124656.tif 000027
を最もよく推定することができる。符号化システムの場合、全体的な複雑さは、ＳＬＭを有さないシステムの複雑さのＵ倍である。
【００４８】
非符号化システムでは、式（５）を解くには、演算
【００４９】
【数２６】
2007124656.tif 000028
をＵＮ４Ｎ回実行しなければならない。これは非常に複雑であり、Ｎが比較的小さい場合にしか実施することができない。
【００５０】
非特許文献１には、簡単化したディシジョンメトリックであって式（５）のディシジョンメトリックよりも複雑でないものが開示されている：
【００５１】
【数２７】
2007124656.tif 000029
図２には、簡単化したディシジョンメトリックを用いるブラインドＳＬＭ受信器３０の一部を示した。図２のブラインドＳＬＭ受信器３０は、ＮポイントＤＦＴ部３２を有する。このＮポイントＤＦＴ部３２は、ベースバンド信号を受信し、ＤＦＴ復調を実行して受信信号ｒｎを求める。受信器３０はチャネル推定部３４も有する。このチャネル推定部３４は、受信信号からｎ番目のサブキャリアのチャネルの推定値
【００５２】
【数２８】
2007124656.tif 000030
を求める。受信器３０は、Ｕ個の利用可能位相ベクトルＰ１ないしＰＵを知っており、そのＵ個の利用可能位相ベクトルＰ１ないしＰＵにそれぞれ対応するＵ個のベクトル乗算器３６１ないし３６Ｕを有する。各ベクトル乗算器３６ｉは、受信信号ｒｎと位相ベクトルＰｉの対応する複素共役
【００５３】
【数２９】
2007124656.tif 000031
とを受け取り、その受信信号とその複素共役とをかけ合わせて、
【００５４】
【数３０】
2007124656.tif 000032
を求める。受信器３０は、Ｕ個の利用可能位相ベクトルにそれぞれ対応するＵ個の処理部３８１ないし３８Ｕも有する。各処理部３８ｉは、位相ベクトルＰｉの最小距離
【００５５】
【数３１】
2007124656.tif 000033
を計算する。ｒｎを
【００５６】
【数３２】
2007124656.tif 000034
と比較して、コンステレーションポイントｃｎと最も近いｒｎを検出する。このように、各サブキャリアに対して厳しい決定をする。例えば、所与の菱形格子構造（trellis  structure）を有する符号化ＯＦＤＭシステムでは、各処理部３８ｉにビタビアルゴリズムを用いることができる。
【００５７】
利用可能位相ベクトルにそれぞれに対して最小距離を計算した後、その位相ベクトルのそれぞれの最小距離を選択部４０に入力する。その選択部４０は、最小ユークリッド距離解を与える位相ベクトルを特定する。選択部４０は、最小ユークリッド距離解を検出されたデータシンボルｃｎとして出力する。
【００５８】
図２のブラインドＳＬＭ受信器に取り入れられた簡単化されたディシジョンメトリックの有利な点は、受信器が実行すべき式（６）中の演算
【００５９】
【数３３】
2007124656.tif 000035
の数がｑＵＮだということである。ここで、ｑはｑ−ａｒｙ変調のｑである。例えば、ＱＰＳＫ変調の場合、ｑ＝４である。よって、図２の受信器は、選択された位相ベクトルの識別情報
【００６０】
【数３４】
2007124656.tif 000036
を送信器から受信器に送信するのにかかるシグナリングオーバーヘッドを避けることができるのみでなく、受信器側での処理がある程度簡単化されるという点で有効である。
【００６１】
しかし、図２の受信器は、次のような場合には依然として実際的ではないと考えられる。すなわち、高次の変調スキーム（例えば、１６ＱＡＭや６４ＱＡＭ）が必要な場合、及び／または利用可能位相ベクトルの数が大きくなった場合である。一般的に、利用可能な位相ベクトルの数が多くなればなるほど、ＰＡＰＲをより大きく減少させることができる。さらに、送信器側はノードＢであり、受信側はユーザ機器ＵＥであり得る。あまりあり得ないことは、ＵＥが処理能力を有し、図２の受信器に必要な処理を実行することである。たとえ処理能力があったとしても、その処理に要するパワー消費により、ポータブル機器のバッテリー寿命が短くなり、望ましくない。
【非特許文献１】“A  blind  SLM  receiver  for  PAR-reduced  OFDM,”  A.D.S.  Jayalath  and  C  Tellambura,  Proceedings  of  IEEE  Vehicular  Technology  Conference,  pp  218-222,  Vancouver,  Canada,  24  to  28  September  2002
【発明の開示】
【発明が解決しようとする課題】
【００６２】
上記の問題を考慮すると、望ましいことは、好適な位相ベクトルを選択する能力を有しても、送信器側に不当な処理負荷をかけない通信方法、通信システム、及び送信器を提供することである。あるいは、又はこれに加えて、望ましいことは、送信器が選択した位相ベクトルを識別する能力を有しても、受信側に不当な処理負荷をかけない通信方法、通信システム、及び受信器を提供することである。あるいは、又はこれに加えて、望ましいことは、送信器と受信器の間のシグナリングオーバーヘッドを効率的に管理するか、及び／または低減させる通信方法、通信システム、通信機、及び受信器を提供することである。
【課題を解決するための手段】
【００６３】
本発明の第１の態様によると、複数の信号であって各々がデータを担う信号を、送信器が１つ以上の受信器に同時に送信する通信方法であって、前記送信器において、複数の利用可能位相ベクトルから好適な位相ベクトルを選択して前記複数の信号に適用する段階であって、前記利用可能位相ベクトルは各々が複数の位相要素を有し、各位相要素は前記信号のうち１つ以上の信号に対応して、前記送信器が前記対応する信号に適用すべき位相調整を設定する段階を有し、前記好適な位相ベクトルの選択は、前記複数の利用可能位相ベクトル内の第１の利用可能位相ベクトルのセットに属する位相ベクトルに最初は限定され、前記第１のセット内に好適な位相ベクトルが見つからない時に前記第１のセット外のさらに別の位相ベクトルに拡張されることを特徴とする方法が提供される。
【００６４】
このような方法によれば、位相ベクトルの選択と関連する送信器における処理負荷が低減される。第１のセットに好適な位相ベクトルが見つかれば、前記第１のセット外の別の位相ベクトルを考慮する必要はなくなる。
【００６５】
前記好適な位相ベクトルの選択において、利用可能位相ベクトルの好適性は、前記複数の信号に前記位相ベクトルを適用することにより得られるピーク・ツー・アベレージの出力比の低減に基づく。これにより、送信器に不当な処理負荷をかけることなく、有用なＰＡＰＲ低減を達成することができる。ＰＡＰＲを低減させる場合、送信器が有する利用可能位相ベクトルの数が多ければ多いほど、送信すべき所与のデータブロックがいかなるものであっても、十分なＰＡＰＲ低減を達成できる可能性が高くなる。しかし、送信するデータはランダムなので、多くの場合、第１のセット外の別の位相ベクトルを考慮することなく、データブロックの好適な位相ベクトルを利用可能位相ベクトルの第１のセット中に見つけることができる。
【００６６】
前記第１のセットの位相ベクトル数は、前記第１のセット外の位相ベクトル数よりも小さいことが好ましい。これにより、満足できる結果を達成しつつ、処理負荷を大幅に低減させることができる。例えば、位相ベクトルをＰＡＰＲ低減に使用している場合、第１のセットの位相ベクトル数は、別のベクトルの数よりも少なくても、ＰＡＰＲ性能が大幅に悪化するようなことはない。
【００６７】
本発明のこの態様のさらなる利点は、前記送信器は前記選択された位相ベクトルを識別する識別情報を前記受信器に送信する場合にある。これは、図１のシステムを例として上で説明した通りである。この場合、前記選択された位相ベクトルが前記第１のセット外の前記位相ベクトルの１つである場合よりも、前記選択された位相ベクトルが前記第１のセットに属している場合に、前記識別情報量が小さい。よって、識別情報の送信に関するシグナリング量を減らすことができる。第１のセット外よりも第１のセット内にある位相ベクトルが１０分の１であれば、第１のセットからの位相ベクトルの識別情報を送信するのに必要なビット数は少なくとも３ビット少ない。
【００６８】
第１のセット外の別のベクトルは１以上のさらにべつの位相ベクトルのセットを有してもよい。好ましい実施形態では、前記複数の利用可能位相ベクトルはレイヤ階層に組織化され、前記第１の位相ベクトルのセットは前記レイヤのうち第１のレイヤに対応し、前記レイヤのうち第２のレイヤに対応する第２の位相ベクトルのセットがあり、前記レイヤ階層のより高い階層のレイヤがあればそれについて同様である。この場合、前記好適な位相ベクトルの選択は前記レイヤ階層により順次拡張される。このように、適当な性能（例えば、ＰＡＰＲ性能）を得るために必要と思われるだけ多数の位相ベクトルを得ることができる。しかし、位相ベクトルは順次考慮されるセットに構成されているので、処理負荷は管理可能に保つことができる。
【００６９】
好ましくは、少なくとも１つのレイヤに対応するセットはより高いレイヤに対応するセットより位相ベクトル数が少ない。これは、所望すれば、全てのレイヤに対して成り立つ。
【００７０】
一実施形態では、前記第１セットはピーク・ツー・アベレージの出力比低減の閾値を有し、前記第１のセット中のどの位相ベクトルも前記第１のセットの前記閾値を越えるピーク・ツー・アベレージ出力比低減を達成できない場合、前記第１のセット中に好適な位相ベクトルはないと判断する。よって、第１セットの位相ベクトルのいずれもが十分なＰＡＰＲ性能を与えない場合にのみ、さらに別の位相ベクトルを考慮する。
【００７１】
階層的システムでは、最高レイヤに対応するセット以外のセットの各々にはこのような閾値があり。最高レイヤに対応するセット以外のセットの各々において順次、どの位相ベクトルもそのセットの前記閾値より高いピーク・ツー・アベレージの出力比を達成できない場合、そのセットには好適な位相ベクトルがないと判断する。
【００７２】
異なるセットの閾値は同じであってもよい。しかし、平均的に、セット中のベクトル数が大きければ大きいほど、そのセットのメンバーの１つにより大きいＰＡＰＲを達成できる。したがって、例えば、セットがより多くの位相ベクトルを含む場合、少なくとも１つのレイヤに対応するセットの閾値を上のレイヤに対応するセットの閾値よりも低くすることが適当であろう。
【００７３】
一実施形態では、少なくとも１つのセットについて、そのセットのすべての位相ベクトルを考慮して、最高のピーク・ツー・アベレージの出力比低減を達成することができ、その低減がそのセットの前記閾値より高い位相ベクトルを前記好適な位相ベクトルとして選択する。これにより、セットの最もよい利用可能位相ベクトルを選択でき、性能が向上する。
【００７４】
しかし、このような場合の処理負荷はそのセットで一定である。代替的に、少なくとも１つのセットについてそのセットの位相ベクトルを好適性について順次考慮し、最初の好適な位相ベクトルが見つかった時はそのセットの残りの位相ベクトルは考慮しないことが可能である。これにより、最初の好適な位相ベクトルはそのセット中で全体的に最もよい位相ベクトルではないかも知れないので性能は犠牲になることはあるが、さらに処理負荷を省くことが可能となる。もちろん、最初のＮ個の好適な位相ベクトルを見つけて、このＮ個のうち最もよいものを選択して、余分な処理負荷を一部かけて性能を向上することも可能である。
【００７５】
前記送信器は前記受信器に対して、前記選択された位相ベクトルが属するセットを識別するために前記受信器が使用するセット情報を送信して、その選択された位相ベクトルを識別する別の情報はなにも送信しなくてもよい。これにより、シグナリングが大幅に減少する。
【００７６】
この場合、受信器は、半ブラインドに動作して、選択された位相ベクトルが属するセットの知識だけで、受信した複数の信号からデータを回復することができる。
【００７７】
このような半ブラインド受信器は、（以下に説明する本発明の第３の態様も参照）は前記送信器の前記複数の利用可能位相ベクトルにそれぞれ対応する複数のトライアル位相ベクトルを有してもよい。各トライアル位相ベクトルは、送信器の対応する利用可能位相ベクトルと同一であるか、それから求められる。例えば、各トライアル位相ベクトルは、送信器側の対応する利用可能位相ベクトルの複素共役であってもよい。
【００７８】
半ブラインド受信器は、前記選択された位相ベクトルが属するセットを識別するセット情報を使用し、前記受信した複数の信号から前記データを回復するために前記識別されたセットの利用可能位相ベクトルにそれぞれ対応するトライアル位相ベクトルのみを用いて前記受信した複数の信号を処理する。これにより、例えば、選択された位相ベクトルは第１のセットに属する場合、受信器がトライアル位相ベクトルのすべてを使用しなくても済む。処理負荷は、送信器側と同様に、受信器側でも減少する。
【００７９】
受信器は完全にブラインドで、すなわち、選択された位相ベクトルに関して、送信器からセット情報その他なしに動作することも可能である。これにより、シグナリングの必要性をより一層低減することができる。半ブラインド受信器と同様に、このような完全にブラインドな受信器は、送信器の複数の利用可能位相ベクトルにそれぞれ対応する複数のトライアル位相ベクトルを有する。完全にブラインドな受信器は、上で説明した図２のシステムと同様に、データを回復するために全てのトライアル位相ベクトルを処理してもよい。しかし、好ましくは、前記受信器（下で説明する本発明の第４の態様も参照）は、最初、前記受信した複数の信号からデータを回復するために前記利用可能位相ベクトルの第１のセットの利用可能位相ベクトルにそれぞれ対応するトライアル位相ベクトルを用いて、前記受信した複数の信号を処理し、前記第１のセットの利用可能位相ベクトルにそれぞれ対応するトライアル位相ベクトルのいずれを用いても十分なデータ回復ができない時、前記第１のセット外の利用可能位相ベクトルにそれぞれ対応する別のトライアル位相ベクトルにトライアル位相ベクトルを拡張する。これにより、受信器側で処理負荷を少なくすることができる。
【００８０】
他の実施形態では、少なくとも１つのセットは複数のサブセットに分割され、前記送信器は前記選択された位相ベクトルが属するサブセットを識別する、前記受信器が使用するサブセット情報を前記受信器に送信する。サブセット情報は、選択された位相ベクトルを一意的に識別する情報よりも少ないビット数しか要せず、シグナリングの必要性を低減させ、受信器がデータを回復するのに一定の支援をし、関連する処理負荷の低減を可能にする。
【００８１】
この場合における使用に好適な他のバージョンの半ブラインド受信器は、前記送信器の前記複数の利用可能位相ベクトルにそれぞれ対応する複数のトライアル位相ベクトルを有する。そして、前記受信器は、前記選択された位相ベクトルが属するサブセットを識別するサブセット情報を利用し、前記受信した複数の信号からデータを回復するために前記識別されたサブセットの利用可能位相ベクトルにそれぞれ対応するトライアル位相ベクトルのみを用いて、前記受信した複数の信号を処理する。
【００８２】
本発明の第２の態様によると、複数の信号であって各々がデータを担う信号を、１つ以上の受信器に同時に送信するように構成された送信器であって、複数の利用可能位相ベクトルから好適な位相ベクトルを選択して前記複数の信号に適用する位相ベクトル選択手段であって、前記利用可能位相ベクトルは各々が複数の位相要素を有し、各位相要素は前記信号のうち１つ以上の信号に対応して、前記送信器が前記対応する信号に適用すべき位相調整を設定する位相ベクトル選択手段を有し、前記位相ベクトル選択手段は、前記複数の利用可能位相ベクトル内の第１の利用可能位相ベクトルのセットに属する位相ベクトルに前記好適な位相ベクトルの選択を最初は限定し、前記第１のセット内に好適な位相ベクトルが見つからない時に前記第１のセット外のさらに別の位相ベクトルにその選択を拡張することを特徴とする送信器が提供される。
【００８３】
本発明の第３の態様によると、送信器により同時に送信された複数の信号を受信するように構成された受信器であって、前記送信器は複数の利用可能位相ベクトルから選択した位相ベクトルを前記複数の信号を送信するときに適用しており、前記利用可能位相ベクトルの各々は複数の位相要素を有し、その各々は前記信号の１つ以上に対応し、前記送信器が前記対応する信号に適用する位相調整を設定し、前記各信号はデータを担い、前記受信器は、前記受信した複数の信号から前記データを回復するため、複数のトライアル位相ベクトルのうちのトライアル位相ベクトルを用いて前記受信した複数の信号を処理する処理手段であって、前記複数のトライアル位相ベクトルは前記送信器の前記複数の利用可能位相ベクトルにそれぞれ対応するところの処理手段と、前記複数の利用可能位相ベクトルのうち限定された利用可能位相ベクトルのセットを識別するために使用する情報を前記送信器から受信する受信手段であって、前記選択された位相ベクトルは前記限定されたセットに属するところの受信手段と、前記処理手段により前記処理を、前記限定されたセットの利用可能位相ベクトルにそれぞれ対応するトライアル位相ベクトルに限定する限定手段と、を有することを特徴とする受信器が提供される。
【００８４】
ここで、限定されたセットは、本発明の第１の態様のいかなるセットであってもよく、そのセットは順次考慮され、送信器側の処理負荷を低減する。この場合、そのセットは、上記のセット情報を用いて送信器から受信器に送信される。この限定されたセットは、本発明の第１の態様のいかなるセットのサブセットであってもよい。あるいは、限定されたセットは、複数の利用可能位相ベクトル内の第１のセット等の一部のセットではなく、複数の利用可能位相ベクトル全体のサブセットであってもよい。
【００８５】
本発明の第４の実施形態によると、送信器により同時に送信された複数の信号を受信するように構成された受信器であって、前記送信器は複数の利用可能位相ベクトルから選択した位相ベクトルを前記複数の信号を送信するときに適用しており、前記利用可能位相ベクトルの各々は複数の位相要素を有し、その各々は前記信号の１つ以上に対応し、前記送信器が前記対応する信号に適用する位相調整を設定し、前記各信号はデータを担い、前記受信器は、前記複数の利用可能位相ベクトルのうち限定された利用可能位相ベクトルのセットを識別するために使用する情報を前記送信器から受信する受信手段であって、前記選択された位相ベクトルは前記限定されたセットに属するところの受信手段と、最初、前記複数のトライアル位相ベクトル内の第１のトライアル位相ベクトルのセットのトライアル位相ベクトルに前記処理手段による処理を限定し、前記第１のセットのトライアル位相ベクトルのいずれでも十分なデータ回復ができない場合、前記第１のセット外の遺贈ベクトル前記処理を拡張するように動作する限定手段と、を有することを特徴とする受信器が提供される。
【００８６】
本発明の第３と第４の態様を具化体した受信器において、データ回復処理は、式（５）または簡単化したメトリックの式（６）を用いて、最小距離解を検出することに限定はされない。受信器がデータをブラインドまたは半ブラインドで（すなわち、選択された位相ベクトルの識別情報を通知されずに）回復できるようにする、どんな好適なデータ回復プロセスを適用してもよい。データ回復プロセスに応じて、送信器において利用可能な位相ベクトルに制約がある場合もある。例えば、利用可能位相ベクトルは、データ回復プロセスにおいて、受信器が２つ以上の利用可能位相ベクトルを混同しないようにする特性を有する必要があるかも知れない。このような制約には、前述の最小ハミング距離等が含まれる。受信器が副情報を用いて選択された位相ベクトルの識別情報を通知されている場合、データ回復プロセスは非常に簡単になる。例えば、受信器は、送信器で適用された位相調整に対して、逆位相調性を適用するだけであってもよい。
【００８７】
本発明の第５の態様によると、複数の信号であって各々がデータを担う信号を、送信器が１つ以上の受信器に同時に送信する通信方法であって、前記送信器において、複数の利用可能位相ベクトルから好適な位相ベクトルを選択して前記複数の信号に適用する段階であって、前記利用可能位相ベクトルは各々が複数の位相要素を有し、各位相要素は前記信号のうち１つ以上の信号に対応して、前記送信器が前記対応する信号に適用すべき位相調整を設定する段階と、前記受信器において、前記受信した複数の信号から前記データを回復するために複数のトライアル位相ベクトルのうちのトライアル位相ベクトルを用いて前記受信した複数の信号を処理する段階であって、前記複数のトライアル位相ベクトルは前記送信器の前記複数の利用可能位相ベクトルにそれぞれ対応するところの段階と、を有し、
前記送信器は前記複数の利用可能位相ベクトルのうち限定された位相ベクトルのセットを識別する情報を前記受信器に送信し、前記選択された位相ベクトルは前記限定されたセットに属し、前記受信器は前記受信した情報を用いて前記限定されたセットを識別し、前記データを回復するために処理するトライアル位相ベクトルを、前記限定されたセットの利用可能位相ベクトルにそれぞれ対応するトライアル位相ベクトルに限定することを特徴とする方法が提供される。
【００８８】
このような通信方法は、受信器側に大幅な処理負荷の低減を提供することができる。本発明のこの態様では、送信器側における位相ベクトルの選択を、本発明の第１の態様で実行する必要はない。
【００８９】
前記複数の利用可能位相ベクトルは利用可能位相ベクトルの２つ以上のセットで構成され、前記情報は前記選択された位相ベクトルが属するセットを識別する。本発明の第１の態様において好ましいように、第１のセットの位相ベクトル数は第２のセットより少なくてもよい。前記セットは利用可能位相ベクトル数が同じであってもよい。
【００９０】
好ましい実施形態では、少なくとも１つのセットを複数のサブセットに分割し、前記情報は前記セットと前記選択された位相ベクトルが属する前記サブセットを識別する。前記受信器は、前記セットと前記選択された位相ベクトルが属する前記サブセットとを前記受信した情報を用いて識別し、前記データを回復するために処理するトライアル位相ベクトルを前記識別されたセット内の識別されたサブセットの利用可能位相ベクトルにそれぞれ対応するトライアル位相ベクトルに限定する。
【００９１】
限定されたセットは、複数の利用可能位相ベクトル内の第１のセットのような一部のセットのサブセットではなく、複数の利用可能位相ベクトル全体のサブセットであってもよい。例えば、複数の利用可能位相ベクトルの全体をサブブロックに分割して、限定されたセットは選択された位相ベクトルが属する１つのサブブロックであってもよい。
【００９２】
本発明のこの態様はＰＡＰＲを低減させるために使用してもよい。この場合、前記好適な位相ベクトルの選択において、利用可能位相ベクトルの好適性は、前記複数の信号に前記位相ベクトルを適用することにより達成できるピーク・ツー・アベレージの出力比低減に基づく。
【００９３】
前記送信器は、前記複数の利用可能位相ベクトルのうちの位相ベクトルを順次考慮して好適性を判断し、最初の好適な位相ベクトルが見つかったら、残りの利用可能位相ベクトルは考慮しなくてもよい。これにより、上記の通り、送信器側の処理負荷を低減することができる。また、最初のＮ個の好適な位相ベクトルを見つけて、このＮ個からもっともよいものを選択して、さらに追加処理を行なって性能を向上させることも可能である。
【００９４】
他の実施形態では、前記複数の利用可能位相ベクトルのうちの位相ベクトルの全てを考慮し、最高のピーク・ツー・アベレージの出力比低減を達成できる位相ベクトルを前記好適な位相ベクトルとして選択する。これにより、特定の複数の利用可能位相ベクトルで最大限のＰＡＰＲ性能を達成することができる。
【００９５】
本発明の第６の態様によると、複数の信号であって各々がデータを担う信号を１つ以上の受信器に同時に送信するように構成された送信器であって、複数の利用可能位相ベクトルから好適な位相ベクトルを選択して前記複数の信号に適用する位相ベクトル選択手段であって、前記利用可能位相ベクトルは各々が複数の位相要素を有し、各位相要素は前記信号のうち１つ以上の信号に対応して、前記送信器が前記対応する信号に適用すべき位相調整を設定する位相ベクトル選択手段と、前記複数の利用可能位相ベクトル内の限定された位相ベクトルのセットを識別する情報を前記受信器に送信するように動作する送信手段であって、前記選択された位相ベクトルは前記限定されたセットに属するところの送信手段と、を有することを特徴とする送信器が提供される。
【００９６】
本発明の第７の実施形態によると、複数の信号であって各々がデータを担う信号を、送信器が１つ以上の受信器に一連の時間に送信する通信方法であって、前記送信器において、前記時間の各々において送信された前記複数の信号に適用する、複数の利用可能位相ベクトルから好適な位相ベクトルを選択する段階と、各利用可能位相ベクトルは複数の位相要素を有し、各要素は前記信号のうち１つ以上の信号に対応し、前記送信器により適用される位相調整を前記時間に送信される対応する信号に設定する段階と、各時間において前記複数の信号の送信のために、前記送信器により選択された位相ベクトルを識別する、前記受信器により使用される識別情報を前記送信器から前記受信器に送信する段階と、を有し、前記時間の１つにおける送信のための前記識別情報は、前記情報の量、前記情報のフォーマット、及び前記情報の精度の少なくとも１つにおいて、前記時間の他の１つにおける送信のための識別情報と異なることを特徴とする通信方法が提供される。
【００９７】
このような通信方法により、識別情報の送信により起こるシグナリングの必要性を効果的に管理し、場合によっては低減することができる。特に、受信器側の処理負荷とシグナリングオーバーヘッドの間にはトレードオフの関係がある。異なる送信の識別情報に異なるフォーマット、情報量、及び／または精度を使用することにより、満足できるトレードオフの結果を出すことができる。満足のいくトレードオフの結果は、例えば、受信器の処理能力や、システムごとに異なるその他の要因に依存する。例えば、受信器が基地局(Node  B)であれば、処理容量が大きく、シグナリングの必要性を低減させることが可能である。一方、受信器が端末(ＵＥ)である場合、処理容量は低く、受信器における処理負荷の低減がシグナリングを減らすよりも重要である。
【００９８】
前記複数の利用可能位相ベクトルは、例えば、少なくとも第１及び第２の利用可能位相ベクトルのセットを有し、前記選択される位相ベクトルが前記第１のセットに属する各時間における送信のための前記識別信号は第１の情報量を有し、前記選択される位相ベクトルが前記第２のセットに属する各時間における送信のための前記識別信号は第２の情報量を有してもよい。あるいは、またはそれに加えて、前記選択された位相ベクトルが前記第１のセットに属する各時間における送信のための前記識別情報は第１のフォーマットを有し、前記選択された位相ベクトルが前記第２のセットに属する各時間における送信のための前記識別情報は第２のフォーマットを有してもよい。あるいは、またはそれに加えて、前記選択された位相ベクトルが前記第１のセットに属する各時間における送信のための前記識別情報は第１の精度を有し、前記選択された位相ベクトルが前記第２のセットに属する各時間における送信のための前記識別情報は第１の精度と異なった第２の精度を有してもよい。
【００９９】
前記第１のセットの位相ベクトルの数は前記第２のセットの位相ベクトルの数より少なく、前記第１の情報量は前記第２の情報量よりも少なくてもよい。これによりシグナリングオーバーヘッドが減少する。
【０１００】
前記識別情報は、前記選択された位相ベクトルが前記第１のセットに属している時、及び前記選択された位相ベクトルが前記第２のセットに属している時に、前記選択された位相ベクトルを一意的に識別するものであってもよい。これにより、受信器側の処理負荷を大きく減らすことができる。ブラインドまたは半ブラインドな動作が不要だからである。
【０１０１】
あるいは、前記識別情報は、前記選択された位相ベクトルが前記セットの１つに属する時、単に前記セットを識別するものであってもよい。これにより、そのセットが関係する時間にはシグナリングオーバーヘッドが低減されるが、受信器はその時には半ブラインドに動作しなければならず、処理負荷が大きくなる。
【０１０２】
前記第１のセットが有する位相ベクトル数は前記第２のセットが有する位相ベクトル数より少ない時、前記識別情報は、前記選択された位相ベクトルが前記第１のセットに属する時、前記セットのみを識別するものであってもよい。これにより、第１のセットが選択された時、シグナリングを減らすことができ、処理容量が小さくても受信器は第１のセット内でブラインドで動作することができる。しかし、第２のセットの方が大きいので、ブラインド動作はこの場合には現実的ではない。そこで、第２のセットの識別情報には、第２のセットの場合に試すべきベクトル数を少なくする何らかの情報が含まれる。
【０１０３】
前記第１のセットが有する位相ベクトル数は前記第２のセットが有する位相ベクトル数より少ない時、その他の可能性として、前記識別情報は、前記選択された位相ベクトルが前記第１のセットに属する時は第１の精度で、前記選択された位相ベクトルが前記第２のセットに属する時は第１の精度より低い第２の精度で、前記選択された位相ベクトルを識別することもできる。例えば、第１の精度は完全な精度であり、すなわち、選択された位相ベクトルを一意的に識別するものである。第２の精度は特定性がより低いものであり、例えば１つのサブブロックを識別するだけのものである。
【０１０４】
一実施形態では、前記識別情報は、前記識別情報は、前記選択された位相ベクトルが前記第１のセットに属する時、及び前記選択された位相ベクトルが前記第２のセットに属する時には、情報量が同じである。これは、識別情報のシグナリングのために一定の専用時間スロットまたはビットが確保されている一部のシステムにおいて望ましい。
【０１０５】
少なくとも１つのセットが複数のサブセットに分割され、前記選択された位相ベクトルがそのセットに属している時、前記識別情報は前記選択された位相ベクトルが属するサブセットを識別するものであってもよい。
【０１０６】
好適な位相ベクトルの選択において、利用可能位相ベクトルの好適性は前記複数の信号に前記複数の位相ベクトルを適用することにより達成されるピーク・ツー・アベレージの出力比低減に基づくものであってもよい。
【０１０７】
本発明の第１０の態様によれば、一連の時間に１つ以上の受信器に複数の信号であって各々がデータを担う信号を同時に送信するように構成された送信器であって、前記時間の各々において送信される前記複数の信号に適用する、複数の利用可能位相ベクトルから好適な位相ベクトルを選択する位相ベクトル選択手段であって、各利用可能位相ベクトルは複数の位相要素を有し、各要素は前記信号ののうち１つ以上の信号に対応し、前記送信器により適用される位相調整を前記時間に送信される対応する信号に設定するところの位相ベクトル選択手段と、各時間において前記複数の信号の送信のために、前記送信器により選択された位相ベクトルを識別する、前記受信器により使用される識別情報を、前記送信器から前記受信器に送信する送信手段と、を有し、前記時間の１つにおける送信のための前記識別情報は、前記情報の量、前記情報のフォーマット、及び前記情報の精度の少なくとも１つにおいて、前記時間の他の１つにおける送信のための識別情報と異なることを特徴とする送信器が提供される。
【０１０８】
本発明の第１１の態様によれば、一連の時間において送信器により同時に送信される複数の信号を受信するように構成された受信器であって、各信号はデータを担い、前記送信器は複数の利用可能位相ベクトルから選択した位相ベクトルを前記複数の信号を送信の時に適用し、各利用可能位相ベクトルは複数の位相要素を有し、各位相要素は前記信号の１つ以上に対応し、前記時間において送信される前記対応する信号に前記送信器により適用される位相調整を設定し、前記受信器は、各時間において前記複数の信号の送信のために、前記送信器により選択された前記位相ベクトルを識別する、前記受信器により使用される識別情報を、前記送信器から受信する情報受信手段を有し、前記時間の１つにおける送信のための前記受信した識別情報は、前記時間の他の１つにおける送信のための前記受信した識別情報と、少なくとも前記情報の量、前記情報のフォーマット、及び前記情報の精度において異なり、前記受信器は、さらに、情報の量、フォーマット、または精度により、各時間における送信のための前記識別情報を処理するよう動作する識別情報処理手段と、前記受信した複数の信号から前記データを回復するために慚愧処理された識別情報を利用するよう動作するデータ回復手段と、を有することを特徴とする受信器が提供される。
【０１０９】
当業者には言うまでもなく、本発明は、ハードウェア、またはソフトウェア、またはこれらの組み合わせで実施することができる。例えば、上記の送信器と受信器は各々デジタルシグナルプロセッサ（ＤＳＰ）等のプロセッサ、またはコンピュータであって、プログラムに従って動作するもの等を有していてもよい。本発明の他の態様によると、送信器や受信器のプロセッサやコンピュータ上で実行されてその機能を実施させるコンピュータプログラムが提供される。このようなプログラムは、それ自体であってもよいし、情報担体上に記憶されたものであってもよい。情報担体は、例えばＣＤ−ＲＯＭ等の記録媒体であってもよいし、信号とうの伝送媒体であってもよい。
【０１１０】
上記の各送信器は、無線通信システムのノードＢ（ベースステーション）に含まれていてもよいし、そのようなシステムのＵＥ（ユーザ端末またはモバイルステーション）に含まれていてもよい。このように、本発明のさらに別の態様によると、無線通信システムのベースステーションが提供される。このベースステーションは、本発明の第２、第６、及び第１０の態様のいずれかを化体した送信器を有する。本発明のさらに別の態様によると、無線通信システムのユーザ端末が提供される。このユーザ端末は、本発明の第２、第６、及び第１０の態様のいずれかを化体した送信器を有する。本発明のさらに別の態様によると、本発明の第３、第４、及び第１１の態様のいずれかを化体した受信器を有するベースステーションが提供される。本発明のさらに別の態様によると、本発明の第３、第４、及び第１１の態様のいずれかを化体した受信器を有するユーザ端末が提供される。
【０１１１】
通信システムはＯＦＤＭシステムであってもよい。
【０１１２】
信号により担われるデータは、ユーザデータであっても、パイロット情報等の制御情報であっても、これらの組み合わせであってもよい。
【発明を実施するための最良の形態】
【０１１３】
図３は、本発明の第１の実施形態による通信システムの一部を示す図である。図３のシステムは、Ｎ個のサブキャリアを有するＯＦＤＭシステムであるが、本発明はＯＦＤＭシステム以外の通信システムにも適用可能である。
【０１１４】
図３のシステムは、送信器４０と受信器５０とを有する。本実施形態では、送信器と受信器とは無線通信するよう構成されていると仮定したが、本発明の実施形態は、送信器と受信器とが有線接続されている通信システムにも適用可能である。送信器４０は、例えば、無線通信システムのノードＢであり、受信器５０は、例えば、そのような無線通信システムのユーザ機器（ＵＥ）である。
【０１１５】
送信器４０は図１を参照して説明した送信器と異なるが、相違点は、送信器４０が利用可能位相ベクトルのセットを２つ有しており、それから位相ベクトルを選択して入力データの所与のブロックに適用できることである。説明を簡単にするため本実施形態ではセットを２つだけ使用するが、後で説明するように、利用可能位相ベクトルのセットを３つ以上備えていてもよい。
【０１１６】
利用可能位相ベクトルの第１セットは、全部でＵ１個の位相ベクトルを有し、利用可能位相ベクトルの第２セットは、全部でＵ２個の位相ベクトルを有する。ここで、Ｕ２＞Ｕ１である。例えば、Ｕ２＝１０×Ｕ１であってもよい。第１セットと第２セットの位相ベクトルは互いに排他的である。
【０１１７】
各位相ベクトルはＮ個の位相要素よりなる。本実施形態では、各位相要素はＮ個のサブキャリアの異なるものに対応し、対応するサブキャリアに対して送信器４０により適用される位相調整を設定する。
【０１１８】
図３に示したように、送信器４０は、第１セットの位相ベクトルに関するデータを記憶する第１位相ベクトル記憶部４２１と、第２セットの位相ベクトルに関するデータを記憶する第２位相ベクトル記憶部４２２とを有する。
【０１１９】
送信器４０はセット・位相ベクトル選択部４４も有し、このセット・位相ベクトル選択部４４は両方の位相ベクトル記憶部４２１と４２２に接続されている。セット・位相ベクトル選択部４４は入力データブロックも受け取るように接続されている。各ブロックは、１つの送信時間期間（ＴＴＩ）中に送信されるＯＦＤＭシンボルを構成している。セット・位相ベクトル選択部４４はセットを選択し、その選択されたセット内の位相ベクトルを選択して、各データブロックに適用する。これについて、ここで図４を参照して説明する。
【０１２０】
図４において、ステップＳ１で、セット・位相ベクトル選択部４４は受信器５０に送信すべきデータブロックＣを受け取る。ステップＳ２で、レイヤインデックスＬＩを値１に初期化する。本実施形態では、位相ベクトルの第１セットはレイヤ１に属し、位相ベクトルの第２セットはレイヤ２に属するものとする。ステップＳ３で、セット・位相ベクトル選択部４４は、現在のレイヤ（レイヤ１）に対する位相ベクトルのセットについて、そのセット中の利用可能位相ベクトルの各々に対してベクトル積
【０１２１】
【数３５】
2007124656.tif 000037
を計算する。
【０１２２】
ステップＳ４で、ＰＡＰＲが最も低い位相ベクトル
【０１２３】
【数３６】
2007124656.tif 000038
を特定する。この特定は、例えば、各ベクトル積に式（３）を適用して最低のＰＡＰＲ値を探すことにより行う。ステップＳ５で、最後のレイヤ（この場合、レイヤ２）に到達したかチェックする。まだ到達していない場合（ここではまだ到達していない）、ステップＳ６に進む。ステップＳ６で、ステップＳ４で特定された位相ベクトル
【０１２４】
【数３７】
2007124656.tif 000039
によるＰＡＰＲの低減が、現在のレイヤ（レイヤ１）の目標閾値より大きいかどうかチェックする。目標閾値は変調スキーム、サブキャリア数、及び増幅器の特性等に依存する。
【０１２５】
本実施形態では、レイヤは２つだけであり、閾値はレイヤ１のみに設定される。しかし、他の実施形態では、３つ以上のレイヤをレイヤ階層として用いてもよい。この場合、レイヤ２の閾値をレイヤ１の閾値よりも高く設定してもよい。その理由は、レイヤに関連するセット中の利用可能位相ベクトルの数が多いほど、ＰＡＰＲの期待される低減は平均的に大きいからである。図５に示したのは３つのレイヤを有する例である。レイヤ１と２の閾値はそれぞれＴｈ１とＴｈ２である。
【０１２６】
ちなみに、図５では受信器にも同じく３つのレイヤがあるが、第１の実施形態では、送信器が選択された位相ベクトルの識別情報を受信器に送信するので、受信器では位相ベクトルをレイヤに対応する異なるセットにまとめる必要はない。
【０１２７】
レイヤ１の目標閾値の例は、サブキャリア数が１２８の場合は５．９ｄＢであり、サブキャリア数が２５６の場合は６．６ｄＢである。
【０１２８】
位相ベクトル
【０１２９】
【数３８】
2007124656.tif 000040
により達成されるＰＡＰＲ低減が、ステップＳ６における現在のレイヤの目標閾値よりも高い場合、ステップＳ８に進み、現在のレイヤの（利用可能位相ベクトルの）セット（第１セット）を選択し、そのセット中でＰＡＰＲが最も低い位相ベクトル
【０１３０】
【数３９】
2007124656.tif 000041
をさらに選択する。ここで処理は終了し、データブロックＣは選択された位相ベクトル
【０１３１】
【数４０】
2007124656.tif 000042
を用送信部４６により受信器に送られる。
【０１３２】
一方、ステップＳ６で、ＰＡＰＲが最も低い位相ベクトルＰｕであってもそのＰＡＰＲ低減は現在のレイヤの目標閾値より大きくない場合、ステップＳ７に進み、レイヤインデックスＬＩをインクリメントして次のレイヤ（この場合、レイヤ２）に切り換える。利用可能位相ベクトルの第２セットに対して、ステップＳ３とＳ４の処理を繰り返す。ステップＳ５に来たとき、現在のレイヤがレイヤ２であることが分かり、ステップＳ８に進む。したがって、レイヤ２の（利用可能位相ベクトルの）セット（第２セット）が選択され、その第２セット中でＰＡＰＲが最も低い位相ベクトル
【０１３３】
【数４１】
2007124656.tif 000043
がさらに選択される。処理は終了し、送信部４６が第２セットから選択した位相ベクトルを用いてブロックＣを送信する。
【０１３４】
言うまでもなく、第１の実施形態では、最初、好適な位相ベクトルの選択は第１のセットに属する位相ベクトルに限定される。第１セットで好適な位相ベクトルが見つからないとき、第１セット以外の位相ベクトルに選択が拡大される。結果として、選択される位相ベクトルは、時（ＴＴＩ）には第１セットのものであり、別の時（ＴＴＩ）には第２セットのものである。位相ベクトルが選択されるセットは、この場合、各ＴＴＩにおいて送信すべきブロックのデータと、そのセットの位相ベクトルによりそのデータに対して達成できるＰＡＰＲ低減とに依存する。送信器４０における位相ベクトルの選択に関連する処理負荷がどのくらい低減するかは、好適な位相ベクトルが第１セットにある場合の数と、好適な位相ベクトルが第２のセットのみにある場合の数の間の比率に依存する。
【０１３５】
位相ベクトルの選択に係わる処理負荷の低減は次式で定義できる：
【０１３６】
【数４２】
2007124656.tif 000044
ここで、ＵＴＯＴＡＬ（Ｌｉ）は、一連のデータブロックにわたってステップＳ３とＳ４で処理される全ベクトル数を表し、ＵＴＯＴＡＬ（ＳＬＭ）は、前に検討した図１の送信器１０で処理される全ベクトル数を表す。１０，０００個のデータブロックよりなる一連のデータブロックをシミュレーションしたところ、Ｕ１＝１６０、Ｕ２＝１６００、λ＝０．４５であることが分かった。すなわち、図１の送信器（Ｕ＝１６００とする）と比較して、処理負荷が５５％低減した。
【０１３７】
第１の実施形態では、送信器４０はレイヤインデックスＬＩと選択した位相ベクトルの識別情報
【０１３８】
【数４３】
2007124656.tif 000045
とを受信器５０に副情報として送信する。図５は、その副情報が図３のシステムにおいて送信器から受信器に送信される方法を示す概略図である。この副情報は受信器の受信部５２により受信信号からデータを回復するために用いられる。受信器５０には第１セットと第２セットの両方の利用可能位相ベクトルが分かっている。例えば、図３には図示していないが、受信器５０は、送信器に備えられた記憶部４２１及び４２２と同一の第１位相ベクトル記憶部と第２位相ベクトル記憶部を有する。あるいは、受信器側の記憶部が位相ベクトルの共役に関するデータを記憶していてもよい。副情報があれば、受信部５２は、項
【０１３９】
【数４４】
2007124656.tif 000046
を求め、これを用いて例えば上で説明した式（４）に基づきｃｎを決定することができる。
【０１４０】
第１セット中の位相ベクトル数Ｕ１は第２セット中の位相ベクトル数Ｕ２より小さいので、選択された位相ベクトルが第１セットのものである場合、選択された位相ベクトルの識別情報
【０１４１】
【数４５】
2007124656.tif 000047
の送信に要するビット数を小さくすることができる。例えば、上記の例においてはＵ１＝１６０であり、８ビットで十分
【０１４２】
【数４６】
2007124656.tif 000048
を搬送することができるが、これに対して第２セットの場合には、１１ビットが必要となる。このように、送信器の処理負荷を減らすことができるだけでなく、第１の実施形態により、シグナリングオーバーヘッドも低減させることができる。
【０１４３】
図３に示したシステムの性能を、次の表１に示した仮定に基づいてシミュレーションした。
【０１４４】
【表１】
2007124656.tif 000049
システムの２つのバージョンをシミュレーションした。第１バージョンは１２８個のサブキャリアを有し、第２バージョンは２５６個のサブキャリアを有する。いずれの場合もレイヤ数は２である。レイヤの目標閾値は、第１バージョンでは５．９ｄＢであり、第２バージョンでは６．６ｄＢである。
【０１４５】
第１バージョンのシミュレーション結果を図６に示し、第２バージョンのシミュレーション結果を図７に示した。いずれの場合も、信号対雑音比（Ｅｂ／Ｎｏ）に対するビットエラーレート（ＢＥＲ）の変化をプロットした。第１の実施形態による通信システムの性能を、次と比較した：（ａ）ＰＡＰＲを下げていないシステム、（ｂ）Ｕ＝Ｕ２個の位相ベクトルを用いる、図１に示して検討したシステム、（ｃ）理想的システム。図７の場合、別のシステムも検討されている。そのシステムは、Ｕ＝Ｕ１個の位相ベクトルを用いる、図１に示したシステムである。図６と７から分かることは、図３に示したシステムの性能は、Ｕ２個の位相ベクトルを有する、図１に示したシステム（ｂ）の性能と同じくらいよいということである。ただし、送信器側の処理負荷は５５％低減されている。図７から分かることは、図３に示したシステムの性能は、Ｕ１個の位相ベクトルを有する、図２に示したシステム（ｄ）の性能よりも非常によいということである。
【０１４６】
第１の実施形態のＰＡＰＲ性能を、（ａ）図１のシステム（このシステムでは、送信器が受信器に選択された位相ベクトルの識別情報
【０１４７】
【数４７】
2007124656.tif 000050
を送信する）、及び（ｂ）ＰＡＰＲを下げていないシステムのＰＡＰＲ性能と比較した。システム（ａ）の場合、利用可能位相ベクトル数は１６００であると仮定した。第２の実施形態の場合、Ｕ１は１６０であり、Ｕ２は１６００であると仮定した。また、システムの２つのバージョンを検討した。第１バージョンは１２８個のサブキャリアを有し、第２バージョンは２５６個のサブキャリアを有するものである。結果を下の表２に示した。表２の値はソフト制限非線形増幅器の前のＰＡＰＲレベルを示している。これらの値は１０，０００以上の異なった送信期間にわたって測定し平均されたものである。
【０１４８】
【表２】
2007124656.tif 000051
表２から分かるように、第１の実施形態では図１のシステムとほぼ同程度のＰＡＰＲ低減を達成することができるが、送信器の処理負荷は大幅に低減する。
【０１４９】
偶然に、ＰＡＰＲ低減による真のインパクトは、シミュレーションをより多くの送信期間に対して実行したときに、よりはっきりと分かる。その場合、理想的システム以外のシステムはすべてビットエラーレートが高い傾向がある。その理由は単に時々ＰＡＰＲレベルが極端なレベルになることがあるからである。しかし、図３のシステムの性能は、Ｕ２個の位相ベクトルを有する図１のシステムの性能に近いことが期待できる。
【０１５０】
次に、第１の実施形態のバリエーションを説明する。
【０１５１】
図４を再び参照して、ステップＳ３とＳ４において、セット・位相ベクトル選択部４４は、現在のレイヤＬＩに使用可能な（位相ベクトルの）セット中の全ての位相ベクトルを考慮して、そのセット内のＰＡＰＲが最低である位相ベクトルを特定することが分かる。これの望ましい理由は、そのセットについて、ＰＡＰＲを最も低減させることができるからである。しかし、セット・位相ベクトル選択部４４が現在のセット中の位相ベクトルをすべて考慮するということは本質的なことではない。例えば、位相ベクトルは順次考慮すればよい。位相ベクトルをそれぞれ順々に考慮しながら、そのＰＡＰＲ低減を計算して閾値と比較する（この閾値は、ステップＳ５の閾値と同じであってもよい）。ＰＡＰＲを閾値よりも低減させる位相ベクトルが見つかったら、そのセット中の残りの位相ベクトルを続けて考慮する必要はない。結果として、システムの全体的なＰＡＰＲ性能は低減するが、送信器の処理負荷をさらに減少させることができる。
【０１５２】
次に、本発明の第２の実施形態を、図８と９を参照して説明する。
【０１５３】
第２の実施形態による通信システムは、図８に示したように、送信器１４０と受信器１５０とを有する。送信器１４０は、第１の実施形態の送信器４０と同様である。特に、送信器１４０は、第１の位相ベクトル記憶部１４２１と第２の位相ベクトル記憶部１４２２を有するが、これらは図３を参照して説明した第１の位相ベクトル記憶部４２１と第２の位相ベクトル４２２とそれぞれ同一である。送信器１４０もセット・位相ベクトル選択部１４４を有するが、これは図３を参照して説明したセット・位相ベクトル選択部４４と同一である。
【０１５４】
送信器１４０も送信部１４６を有しているが、これは図３を参照して説明した送信部４６と同様である。しかし、図３の送信部４６はレイヤインデックスＬＩとそのレイヤの選択された位相ベクトルの識別情報
【０１５５】
【数４８】
2007124656.tif 000052
の両方を送信するのに対して、図８の送信部１４６は、図９に示したように、レイヤインデックスＬＩのみを送信する。選択されたレイヤ内の位相ベクトルの識別情報
【０１５６】
【数４９】
2007124656.tif 000053
は送信部１４６により送信されない。
【０１５７】
送信部１４６は選択された位相ベクトルの識別情報
【０１５８】
【数５０】
2007124656.tif 000054
を送信しないので、受信器１５０の構成は図３の受信器５０の構成と異なる。受信器１５０は「半ブラインド」であり、つまり送信器から受信する情報で選択された位相ベクトルの識別に使用できるものはレイヤインデックスＬＩだけである。しかし、受信器５０の場合と同様に、受信器１５０では送信器１４０により使用される両方の位相ベクトルのセット中の位相ベクトルがすべて分かっている。受信器は記憶部（図示せず）を有し、各レイヤのトライアル位相ベクトルのセットに関するデータを記憶している。各トライアル位相ベクトルは、送信器における利用可能位相ベクトルの１つと個々に対応している。この実施形態では、各トライアル位相ベクトルは、単に、それが対応する利用可能位相ベクトルと同じ位相ベクトルである。受信器の記憶部は送信器の記憶部１４２１と１４２２と同じであるが、あるいは、受信器の記憶部は位相ベクトルの複素共役
【０１５９】
【数５１】
2007124656.tif 000055
に関するデータを記憶していてもよい。これは複素乗算器１５６ｉで使用するものだからである。
【０１６０】
受信器１５０はＮポイントＦＦＴ部１５２を有し、このＮポイントＦＦＴ部１５２はベースバンド信号を受信する。この実施形態では、ＦＦＴ部１５２は、ベースバンド信号をＦＦＴ復調処理にかけるが、他の実施形態では、離散フーリエ変換（ＤＦＴ）処理を使用してもよい。ＦＦＴ部１５２の出力はｒｎである。
【０１６１】
受信器はチャネル推定部１５４を有し、このチャネル推定部１５４はＦＦＴ部１５２と接続され、ｒｎを受け取る。チャネル推定部１５４は各サブキャリアと関連するチャネルについてチャネル推定
【０１６２】
【数５２】
2007124656.tif 000056
を生成する。
【０１６３】
受信器１５０もＵ２個のベクトル乗算器１５６１−１５６Ｕ２と、Ｕ２個の処理部１５８１−１５８Ｕ２を有する。図８の送信器１４０から分かるように、Ｕ２は利用可能位相ベクトルの第２セット（大きい方）中の位相ベクトル数である。
【０１６４】
受信信号ｒｎは、ＦＦＴ部１５２のＦＦＴ復調後に、各ベクトル乗算器１５６ｉの第１入力に入力される。各ベクトル乗算器１５６ｉは第２入力も有し、その第２入力にはトライアル位相ベクトルの１つの複素共役
【０１６５】
【数５３】
2007124656.tif 000057
が入力される。各ベクトル乗算器１５６ｉはその対応する処理部１５８ｉにベクトル積
【０１６６】
【数５４】
2007124656.tif 000058
を出力する。
【０１６７】
図８には示していないが、各処理部１５８ｉは、ハード決定部を有し、各サブキャリアに対して、最も近いコンステレーションポイント
【０１６８】
【数５５】
2007124656.tif 000059
でｒｎを検出する。このハード決定はｒｎを
【０１６９】
【数５６】
2007124656.tif 000060
と比較して行う。
【０１７０】
各処理部１５８ｉはトライアル位相ベクトルの異なるものと関連しているが、サブキャリアに適用される変調スキームの利用可能なコンステレーションポイントの各々を考慮しなければならない。例えば、ＱＰＳＫの場合、利用可能なコンステレーションポイントは４つある。つまり、ＱＰＳＫの場合、各処理部１５８ｉは利用可能なコンステレーションポイント４つの各々を考慮して、利用可能なコンステレーションポイントのどれがそれに関連する位相ベクトルＰｉに対する距離
【０１７１】
【数５７】
2007124656.tif 000061
を最小にするかを考慮する。これはビタビアルゴリズムを用いて行う。処理部からの結果は、最小ユークリッド距離解を選択する選択部１６０で比較される。この選択により、データシーケンス
【０１７２】
【数５８】
2007124656.tif 000062
が得られる。最小距離解を与える位相ベクトルの識別情報
【０１７３】
【数５９】
2007124656.tif 000063
は、明示的には出力されないが、受信器の他の構成要素が必要であればもちろん出力することができる。言うまでもなく、ベクトル乗算器１５６、処理部１５８、及び選択部１６０は、上式（６）のディシジョンメトリックを実施する。
【０１７４】
受信器１５０は制御部１６２を有し、その制御部が受信器の全体的な動作を制御する。
【０１７５】
レイヤインデックスＬＩを送信器１４０から受信したとき、制御部１６２は、そのレイヤインデックスＬＩにより示されるレイヤのデータを関連する受信器側の記憶部（図示せず）から読み出す。レイヤインデックスが第１レイヤを示す場合、第１セットのＵ１個のトライアル位相ベクトルのみを処理する必要がある。従って、これらのＵ１個のトライアル位相ベクトルの複素共役が最初のＵ１個のベクトル乗算器１５６１−１５６Ｕ１に入力され、処理部１５８１−１５８Ｕ１のみが使用される。複素乗算器１５６Ｕ１＋１−１５６Ｕ２と、対応する処理部１５８Ｕ１＋１−１５８Ｕ２はディアクティベートされ、バッテリパワーを節約する。
【０１７６】
受信したレイヤインデックスが第２レイヤ（レイヤ２）を示している場合、全ての複素乗算器１５６１−１５６Ｕ２と全ての処理部１５８１−１５８Ｕ１を使用する。
【０１７７】
第２の実施形態における受信器１５０に対する処理要求は、第１の実施形態の送信器１５０の処理要求よりも非常に高い。送信器は半ブラインドなものとして動作するからである。しかし、受信器にはレイヤインデックスＬＩが副情報として供給されるので、少なくともレイヤインデックスが第１レイヤを示している場合には、受信器の処理負荷は図２を参照して説明した完全にブラインドな受信器と比較して減少する。処理負荷の実際の減少は、第２レイヤが選択される回数に対する第１レイヤが選択される回数の比率に依存する。第１の実施形態の送信器側における処理負荷の減少に関して上で説明したように、受信器側の処理負荷は、完全にブラインドな受信器と比較して大幅に減少すると期待できる。
【０１７８】
第２の実施形態の主な利益は、第１の実施形態と比較して、シグナリングオーバーヘッドの低減にある。利用可能なレイヤが２つしかない場合、レイヤインデックスＬＩには１ビットしか必要ない。例えば、「０」がレイヤ１、「１」がレイヤ２とすることができる。
【０１７９】
下の表３は、上記の本発明の第１の実施形態と第２の実施形態とを比較したものである：（ａ）図１に示したＳＬＭを用いる通信システム（すなわち、選択された位相ベクトルの識別情報
【０１８０】
【数６０】
2007124656.tif 000064
を送信器から受信器に送信している）；及び（ｂ）図２を参照して説明したブラインド受信器を有するシステム。これらのシステムを３つの点で比較する。すなわち、送信器の処理負荷、受信器の処理負荷、及びシグナリングの必要性である。
【０１８１】
【表３】
2007124656.tif 000065
次に、第２の実施形態のバリエーションを説明する。このバリエーションでは、送信部は選択されたレイヤに関する情報は何も受信器に送らず、受信器は完全にブラインドで動作する。この場合、受信器は、第１のレイヤから始めてレイヤを順次処理してもよいし、全てのレイヤを同時に処理してもよい。レイヤを順次処理するには、ベクトル乗算器１５６と処理部１５８の数が、最も高いレイヤの（位相ベクトルの）セット中の位相ベクトル数Ｕ２と等しければよい。受信器が全てのレイヤのトライアル位相ベクトルを同時に処理する場合、Ｕ１＋Ｕ２個のベクトル乗算器１５６と処理部１５８が必要である。
【０１８２】
第２の実施形態のこのバリエーションの有利な点は、送信器により選択された位相ベクトルに関する情報を何も送信器から受信器に送信することに係わるシグナリングオーバーヘッドを、完全に無くなることである。しかし、処理負荷に関して受信器に大幅なペナルティが課せられる。受信器はレイヤ情報により正しい位相ベクトルのセットに導かれないからである。受信器がノードＢ（ベースステーション）である場合、全てのレイヤをブラインドで処理して位相ベクトルを発見する処理パワーを有しているので、ＵＥがレイヤインデックスを送信する必要もないと思われる。ＵＥで利用可能な処理パワーはノードＢで利用可能な処理パワーと比較して小さいと思われるので、図８の構成は送信器がノードＢで受信器がＵＥである場合によいであろう。
【０１８３】
次に、本発明の第３の実施形態を、図１０を参照して説明する。図１０において、通信システムは、送信器２４０と受信器２５０を有する。この実施形態の送信器２４０は、前の実施形態の２つの記憶部の替わりに、単一の位相ベクトル記憶部２４２を有する。位相ベクトル記憶部２４２は、Ｕ＝Ｋ×Ｌ個の位相ベクトルを記憶する容量を有する。例えば、Ｕは２５６であり、Ｋは８であり、Ｌは３２である。このように、図１０に示したように、利用可能位相ベクトルはＫこのサブブロックＳＢ１−ＳＢＫに分割され、各サブブロックはＬ個の位相ベクトルよりなると考えられる。
【０１８４】
送信器２４０はさらに位相ベクトル選択部２４４を有する。この位相ベクトル選択部２４４は、位相ベクトル記憶部２４２に記憶されたＵ個の位相ベクトルのうち、送信器２４０が受け取った入力データの現在のブロックのＰＡＰＲを最も低くする１つを選択する。
【０１８５】
送信器２４０は送信部２４６も有する。この送信部２４６は、送信すべきデータブロックに選択した位相ベクトルを適用して形成したＯＦＤＭ信号を送信する。
【０１８６】
受信器は、図８の受信器１５０と同じ構成であり、半ブラインド受信器である。しかし、受信器２５０が図８の受信器と異なる点は、図８のＵ２個のベクトル乗算器１５６と処理部１５８の替わりに、Ｌ個のベクトル乗算器２５６１−２５６ＬとＬ個の処理部２５８１−２５８Ｌのみが設けられていることである。このように、ベクトル乗算器と処理部の数がＫ分の１に減らされている。
【０１８７】
また、受信器２５０が図８の受信器１５０と異なる点は、制御部２６２を有することである。その制御部２６２は、位相ベクトル選択部２４４が選択した位相ベクトルを含むサブブロックのインデックスｋを受け取るように構成されている。
【０１８８】
受信器２５０はさらに記憶部（図示せず）を有する。その記憶部は、送信器側のＵ個の利用可能位相ベクトルにそれぞれ対応するＵ個のトライアル位相ベクトルに関するデータを記憶している。この実施形態の受信器の記憶部は、送信器２４０の位相ベクトル記憶部２４２と同じデータを含むが、あるいは、その他の何らかの好適な形式で（例えば、利用可能位相ベクトルの各々の複素共役）Ｕ個の位相ベクトルに関するデータを記憶することができる。ベクトル乗算器２５６１−２５６Ｌが必要とするものだからである。また、Ｕ個のトライアル位相ベクトルは、Ｕ個の利用可能位相ベクトルと同様に、Ｋ個のサブブロックに分割されている。
【０１８９】
受信したサブブロックインデックスｋに基づき、制御部２６２は、受信信号ｒｎからのデータを回復するのに使用されるトライアル位相ベクトルのサブブロックを決定する。特に、制御部２６２はＺ＝（ｋ−１）Ｌ＋１を計算する。そして、制御部２６２は、受信器側の記憶部から、サブブロックＳＢＫのトライアル位相ベクトルＰＺ−ＰＺ＋Ｌのデータを読み出す。このように、サブブロックＳＢｋのＬ個のトライアル位相ベクトルＰＺ−ＰＺ＋Ｌの複素共役ＰＺ＊−ＰＺ＋Ｌ＊は、ベクトル乗算器２５６１−２５６Ｌの入力にそれぞれ入力される。処理部２５８１−２５８Ｌは、サブキャリアに適用される変調スキームのすべての可能なコンステレーションポイントに対して、トライアル位相ベクトルＰＺ−ＰＺ＋Ｌの各々について、最小距離
【０１９０】
【数６１】
2007124656.tif 000066
を決定する。選択部２６０は、位相ベクトルＰＺ−ＰＺ＋Ｌから最小距離解を選択し、出力データ
【０１９１】
【数６２】
2007124656.tif 000067
を出す。
【０１９２】
この実施形態で受信器２５０に使用されるディシジョンメトリックは次式（８）で表される：
【０１９３】
【数６３】
2007124656.tif 000068
上に示した式（６）のディシジョンメトリックと比較して、受信器における処理負荷はγ倍だけ低減する。ここでγは：
【０１９４】
【数６４】
2007124656.tif 000069
例えば、Ｌ／Ｕ（＝１／Ｋ）は１／８である。これは受信器側の処理負荷が大幅に低減したことを示す。もちろん、送信器２４０から受信器２５０へのサブブロックインデックスｋを送信するとシグナリングオーバーヘッドがかかる。しかし、このインデックスｋを送信するのに必要なビット数は比較的小さく、例えば３ビットである。これは、図１のシステムと比較して大幅な低減である。図１のシステムでは、選択された位相ベクトルの識別情報ｕが送信器から受信器に完全な精度で送信される。よって、第３の実施形態では、図１のシステムよりシグナリングオーバーヘッドが低いが、受信器側の処理負荷も、図２を参照して説明した完全にブラインドな受信器を有する対比しうるシステムと同じように高くなることもない。下の表４は、受信器の処理負荷とシグナリングの必要性について、図１と２、及び第３の実施形態のシステム間を比較したものである。
【０１９５】
【表４】
2007124656.tif 000070
シミュレーションを用いて、第３の実施形態の性能を、（ａ）増幅器バックオフが無限大の送信器を有する理想的システム、（ｂ）増幅器がクリッピングするがＰＡＰＲ低減方法は適用しないシステム、（ｃ）図１のシステムと比較した。シミュレーションにおける仮定を下の表５に掲げる。
【０１９６】
【表５】
2007124656.tif 000071
表５から分かるように、Ｕは１６００であり、Ｌは２００であると仮定した。よって、Ｋ＝８である。システム（ｃ）の場合も、Ｕは１６００であると仮定した。サブキャリア数は１２８と仮定した。
【０１９７】
図１１は、比較したシステムの性能を、変調スキームが１６ＱＡＭの場合に、ビットエラーレート（ＢＥＲ）の信号対雑音比（Ｅｂ／Ｎｏ）に対する変化に関している。図１２は、図１１に対応するグラフであるが、変調スキームがＱＰＳＫの時にシステムの性能を比較したものである。図１１と１２から分かるように、第３の実施形態の性能は、ＢＥＲに関しては図１のシステムの性能と非常に似ているが、シグナリングの必要性は図１のシステムと比較して８分の１と低い。
【０１９８】
第３の実施形態のＰＡＰＲ性能も上記のシステム（ａ）及び（ｃ）の性能と比較した。その結果を下の表６に示す。表６のＰＡＰＲレベルは、ソフト制限非線形増幅器の前のＰＡＰＲであり、１０，０００以上の異なった送信期間にわたって測定し平均をとって求めたものである。
【０１９９】
【表６】
2007124656.tif 000072
これから分かるとおり、第３の実施形態により達成されるＰＡＰＲ低減は、図１のシステムのＰＡＰＲ低減に非常に近い。
【０２００】
言うまでもなく、上に説明した実施形態の特徴や機能を組み合わせてもよい。例えば、第１の実施形態のように２つ以上のレイヤを規定して、第１レイヤのセットは第２レイヤのセットより位相ベクトル数が少ないとしてもよい。送信器が第１レイヤを選択した時、受信器は完全にブラインドで動作する。すなわち、送信器は受信器に対して単にレイヤインデックスのみを供給する。受信器は、第１セットのＵ１個の位相ベクトルをすべて検索し、選択された位相ベクトルを見つける。レイヤ２の位相ベクトルの第２セットは第３の実施形態におけるようにサブブロックに分割してもよい。そして、第２レイヤが選択された時、レイヤインデックスを送信するだけではなく、送信器がサブブロックインデックスｋも送信してもよい。こうして、レイヤ２のベクトルのセットはレイヤ１のベクトルのセットよりも多数のベクトルを含んでいても、受信器の処理負荷は管理可能な範囲に留まる。検索はサブブロックインデックスにより「ガイドされる」からである。
【０２０１】
そのような実施におけるシグナリングを図１３（Ａ）に概略的にしめした。図から分かるように、送信器により受信器に送信される識別情報は、識別情報からレイヤ１が選択された時とレイヤ２が選択された時とでは、異なる。この場合、識別情報は次の点で異なる：（ａ）情報量（レイヤ１は１ビット、レイヤ２はｋ＋１ビット）、（ｂ）情報フォーマット（レイヤ１はＬＩのみ、レイヤ２はＬＩとｋ）、（ｃ）情報の精度（レイヤ１は最低限の精度、すなわち「セット全体」、レイヤ２はより高い精度、すなわち「セットの１つのサブブロック」）。識別情報がレイヤごとに変化することを許容することにより、発明を化体するシステムが識別情報に関連するシグナリング負荷を制御することができる。
【０２０２】
識別情報が（ａ）から（ｃ）の全ての点で異なる必要はない。例えば、第１の実施形態では、Ｕ１＜Ｕ２であり、レイヤ１の識別情報は情報量の点でレイヤ２の識別情報と異なる（レイヤ１はlog2(U1)+1ビット、レイヤ２はlog2(U2)+1ビットである）。しかし、フォーマット（ＬＩとＵ１／Ｕ２）と精度（最大限の精度、すなわち、１つの位相ベクトルが一意的に特定される）は同じである。これは図１３（Ｂ）に示した。
【０２０３】
図１３（Ｃ）は、別の例を示し、フォーマットと情報量は同じであるが、レイヤ１の精度が最大限であるのに対して、レイヤ２の精度は低い。これが有用なのは、例えば、情報量は両レイヤで同じであるが、レイヤ２のセットはレイヤ１よりもより多くの位相ベクトルを有することが望ましい場合である。図１３（Ｄ）では、送信器は、レイヤインデックスと各レイヤのサブブロックインデックスとを送信し、受信器の処理負荷を低減させる。フォーマットと情報量は両レイヤで同じであるが、レイヤ１は第１の精度を有し、レイヤ２は第１の精度より低い第２の精度を有する。例えば、レイヤ２の各サブブロック中の位相ベクトル数Ｌ２をレイヤ１の各サブブロック中の位相ベクトル数Ｌ１より大きくすることにより、レイヤ１のサブブロックインデックスｋ１とレイヤ２のサブブロックインデックスｋ２が同じビット数であってもよい。
【０２０４】
本発明の実施形態において、様々なユニット（処理部等）は適当なソフトウェアが動作しているＤＳＰ等のプロセッサにより実施することができる。処理負荷を下げることにより、処理容量が低いプロセッサを使用して、コストを下げることができる。もちろん、これらのユニットはハードウェアで実施することもできる。この場合、処理負荷の低減によりハードウェア量を下げることができ、コストを下げることができる。
【０２０５】
なお、本開示について、以下の付記を記す。
（付記１）複数の信号であって各々がデータを担う信号を、送信器が１つ以上の受信器に同時に送信する通信方法であって、
前記送信器において、複数の利用可能位相ベクトルから好適な位相ベクトルを選択して前記複数の信号に適用する段階であって、前記利用可能位相ベクトルは各々が複数の位相要素を有し、各位相要素は前記信号のうち１つ以上の信号に対応して、前記送信器が前記対応する信号に適用すべき位相調整を設定する段階を有し、
前記好適な位相ベクトルの選択は、前記複数の利用可能位相ベクトル内の第１の利用可能位相ベクトルのセットに属する位相ベクトルに最初は限定され、前記第１のセット内に好適な位相ベクトルが見つからない時に前記第１のセット外のさらに別の位相ベクトルに拡張されることを特徴とする方法。
（付記２）付記１に記載の方法であって、前記好適な位相ベクトルの選択において、利用可能位相ベクトルの好適性は、前記複数の信号に前記位相ベクトルを適用することにより得られるピーク・ツー・アベレージの出力比の低減に基づくことを特徴とする方法。
（付記３）付記１または２に記載の方法であって、前記第１のセットの位相ベクトル数は、前記第１のセット外の位相ベクトル数よりも小さいことを特徴とする方法。
（付記４）付記１ないし３いずれか一項に記載の方法であって、前記送信器は前記選択された位相ベクトルを識別する識別情報を前記受信器に送信し、前記選択された位相ベクトルが前記第１のセット外の前記位相ベクトルの１つである場合よりも、前記選択された位相ベクトルが前記第１のセットに属している場合に、前記識別情報量が小さいことを特徴とする方法。
（付記５）付記１ないし４いずれか一項に記載の方法であって、
前記複数の利用可能位相ベクトルはレイヤ階層に組織化され、前記第１の位相ベクトルのセットは前記レイヤのうち第１のレイヤに対応し、前記レイヤのうち第２のレイヤに対応する第２の位相ベクトルのセットがあり、前記レイヤ階層のより高い階層のレイヤがあればそれについて同様であり、
前記好適な位相ベクトルの選択は前記レイヤ階層により順次拡張されることを特徴とする方法。
（付記６）付記５に記載の方法であって、少なくとも１つのレイヤに対応するセットはより高いレイヤに対応するセットより位相ベクトル数が少ないことを特徴とする方法。
（付記７）付記６に記載の方法であって、前記第１セットはピーク・ツー・アベレージの出力比低減の閾値を有し、前記第１のセット中のどの位相ベクトルも前記第１のセットの前記閾値を越えるピーク・ツー・アベレージ出力比低減を達成できない場合、前記第１のセット中に好適な位相ベクトルはないと判断することを特徴とする方法。
（付記８）付記７に記載の方法であって、最高レイヤに対応するセット以外のセットの各々にはこのような閾値があり、最高レイヤに対応するセット以外のセットの各々において順次、どの位相ベクトルもそのセットの前記閾値より高いピーク・ツー・アベレージの出力比を達成できない場合、そのセットには好適な位相ベクトルがないと判断することを特徴とする方法。
（付記９）付記８に記載の方法であって、少なくとも１つのレイヤに対応するセットの閾値は、より高いレイヤに対応するセットの閾値よりも低いことを特徴とする方法。
（付記１０）付記７ないし９いずれか一項に記載の方法であって、少なくとも１つのセットについて、そのセットのすべての位相ベクトルを考慮して、最高のピーク・ツー・アベレージの出力比低減を達成することができ、その低減がそのセットの前記閾値より高い位相ベクトルを前記好適な位相ベクトルとして選択することを特徴とする方法。
（付記１１）付記１ないし９いずれか一項に記載の方法であって、少なくとも１つのセットについてそのセットの位相ベクトルを好適性について順次考慮し、最初の好適な位相ベクトルが見つかった時はそのセットの残りの位相ベクトルは考慮しないことを特徴とする方法。
（付記１２）付記１ないし１１いずれか一項に記載の方法であって、前記送信器は前記受信器に対して、前記選択された位相ベクトルが属するセットを識別するために前記受信器が使用するセット情報を送信することを特徴とする方法。
（付記１３）付記１２に記載の方法であって、
前記受信器は前記送信器の前記複数の利用可能位相ベクトルにそれぞれ対応する複数のトライアル位相ベクトルを有し、
前記受信器は、前記選択された位相ベクトルが属するセットを識別するセット情報を使用し、前記受信した複数の信号から前記データを回復するために前記識別されたセットの利用可能位相ベクトルにそれぞれ対応するトライアル位相ベクトルのみを用いて前記受信した複数の信号を処理することを特徴とする方法。
（付記１４）付記１ないし１１いずれか一項に記載の方法であって、
前記受信器は前記送信器の前記複数の利用可能位相ベクトルにそれぞれ対応する複数のトライアル位相ベクトルを有し、
前記受信器は、最初、前記受信した複数の信号からデータを回復するために前記利用可能位相ベクトルの第１のセットの利用可能位相ベクトルにそれぞれ対応するトライアル位相ベクトルを用いて、前記受信した複数の信号を処理し、前記第１のセットの利用可能位相ベクトルにそれぞれ対応するトライアル位相ベクトルのいずれを用いても十分なデータ回復ができない時、前記第１のセット外の利用可能位相ベクトルにそれぞれ対応する別のトライアル位相ベクトルにトライアル位相ベクトルを拡張することを特徴とする方法。
（付記１５）付記１ないし１２いずれか一項に記載の方法であって、少なくとも１つのセットは複数のサブセットに分割され、前記送信器は前記選択された位相ベクトルが属するサブセットを識別する、前記受信器が使用するサブセット情報を前記受信器に送信することを特徴とする方法。
（付記１６）付記１５に記載の方法であって、
前記受信器は、前記送信器の前記複数の利用可能位相ベクトルにそれぞれ対応する複数のトライアル位相ベクトルを有し、
前記受信器は、前記選択された位相ベクトルが属するサブセットを識別するサブセット情報を利用し、前記受信した複数の信号からデータを回復するために前記識別されたサブセットの利用可能位相ベクトルにそれぞれ対応するトライアル位相ベクトルのみを用いて、前記受信した複数の信号を処理することを特徴とする方法。
（付記１７）複数の信号であって各々がデータを担う信号を、１つ以上の受信器に同時に送信するように構成された送信器であって、
複数の利用可能位相ベクトルから好適な位相ベクトルを選択して前記複数の信号に適用する位相ベクトル選択手段であって、前記利用可能位相ベクトルは各々が複数の位相要素を有し、各位相要素は前記信号のうち１つ以上の信号に対応して、前記送信器が前記対応する信号に適用すべき位相調整を設定する位相ベクトル選択手段を有し、
前記位相ベクトル選択手段は、前記複数の利用可能位相ベクトル内の第１の利用可能位相ベクトルのセットに属する位相ベクトルに前記好適な位相ベクトルの選択を最初は限定し、前記第１のセット内に好適な位相ベクトルが見つからない時に前記第１のセット外のさらに別の位相ベクトルにその選択を拡張することを特徴とする送信器。
（付記１８）送信器により同時に送信された複数の信号を受信するように構成された受信器であって、前記送信器は複数の利用可能位相ベクトルから選択した位相ベクトルを前記複数の信号を送信するときに適用しており、前記利用可能位相ベクトルの各々は複数の位相要素を有し、その各々は前記信号の１つ以上に対応し、前記送信器が前記対応する信号に適用する位相調整を設定し、前記各信号はデータを担い、前記受信器は、
前記受信した複数の信号から前記データを回復するため、複数のトライアル位相ベクトルのうちのトライアル位相ベクトルを用いて前記受信した複数の信号を処理する処理手段であって、前記複数のトライアル位相ベクトルは前記送信器の前記複数の利用可能位相ベクトルにそれぞれ対応するところの処理手段と、
前記複数の利用可能位相ベクトルのうち限定された利用可能位相ベクトルのセットを識別するために使用する情報を前記送信器から受信する受信手段であって、前記選択された位相ベクトルは前記限定されたセットに属するところの受信手段と、
前記処理手段により前記処理を、前記限定されたセットの利用可能位相ベクトルにそれぞれ対応するトライアル位相ベクトルに限定する限定手段と、を有することを特徴とする受信器。
（付記１９）送信器により同時に送信された複数の信号を受信するように構成された受信器であって、前記送信器は複数の利用可能位相ベクトルから選択した位相ベクトルを前記複数の信号を送信するときに適用しており、前記利用可能位相ベクトルの各々は複数の位相要素を有し、その各々は前記信号の１つ以上に対応し、前記送信器が前記対応する信号に適用する位相調整を設定し、前記各信号はデータを担い、前記受信器は、
前記複数の利用可能位相ベクトルのうち限定された利用可能位相ベクトルのセットを識別するために使用する情報を前記送信器から受信する受信手段であって、前記選択された位相ベクトルは前記限定されたセットに属するところの受信手段と、
最初、前記複数のトライアル位相ベクトル内の第１のトライアル位相ベクトルのセットのトライアル位相ベクトルに前記処理手段による処理を限定し、前記第１のセットのトライアル位相ベクトルのいずれでも十分なデータ回復ができない場合、前記第１のセット外の遺贈ベクトル前記処理を拡張するように動作する限定手段と、を有することを特徴とする受信器。
（付記２０）複数の信号であって各々がデータを担う信号を、送信器が１つ以上の受信器に同時に送信する通信方法であって、
前記送信器において、複数の利用可能位相ベクトルから好適な位相ベクトルを選択して前記複数の信号に適用する段階であって、前記利用可能位相ベクトルは各々が複数の位相要素を有し、各位相要素は前記信号のうち１つ以上の信号に対応して、前記送信器が前記対応する信号に適用すべき位相調整を設定する段階と、
前記受信器において、前記受信した複数の信号から前記データを回復するために複数のトライアル位相ベクトルのうちのトライアル位相ベクトルを用いて前記受信した複数の信号を処理する段階であって、前記複数のトライアル位相ベクトルは前記送信器の前記複数の利用可能位相ベクトルにそれぞれ対応するところの段階と、を有し、
前記送信器は前記複数の利用可能位相ベクトルのうち限定された位相ベクトルのセットを識別する情報を前記受信器に送信し、前記選択された位相ベクトルは前記限定されたセットに属し、
前記受信器は前記受信した情報を用いて前記限定されたセットを識別し、前記データを回復するために処理するトライアル位相ベクトルを、前記限定されたセットの利用可能位相ベクトルにそれぞれ対応するトライアル位相ベクトルに限定することを特徴とする方法。
（付記２１）付記２０に記載の方法であって、前記複数の利用可能位相ベクトルは利用可能位相ベクトルの２つ以上のセットで構成され、前記情報は前記選択された位相ベクトルが属するセットを識別するものであることを特徴とする方法。
（付記２２）付記２１に記載の方法であって、第１のセットの位相ベクトル数は第２のセットより少ないことを特徴とする方法。
（付記２３）付記２１に記載の方法であって、前記セットは利用可能位相ベクトル数が同じであることを特徴とする方法。
（付記２４）付記２１ないし２３に記載の方法であって、少なくとも１つのセットを複数のサブセットに分割し、前記情報は前記セットと前記選択された位相ベクトルが属する前記サブセットを識別し、
前記受信器は、前記セットと前記選択された位相ベクトルが属する前記サブセットとを前記受信した情報を用いて識別し、前記データを回復するために処理するトライアル位相ベクトルを前記識別されたセット内の識別されたサブセットの利用可能位相ベクトルにそれぞれ対応するトライアル位相ベクトルに限定することを特徴とする方法。
（付記２５）付記２０ないし２４いずれか一項に記載の方法であって、前記好適な位相ベクトルの選択において、利用可能位相ベクトルの好適性は、前記複数の信号に前記位相ベクトルを適用することにより達成できるピーク・ツー・アベレージの出力比低減に基づくことを特徴とする方法。
（付記２６）付記２０ないし２５いずれか一項に記載の方法であって、前記送信器は、前記複数の利用可能位相ベクトルのうちの位相ベクトルを順次考慮して好適性を判断し、最初の好適な位相ベクトルが見つかったら、残りの利用可能位相ベクトルは考慮しないことを特徴突する方法。
（付記２７）付記２１ないし２６いずれか一項に記載の方法であって、前記複数の利用可能位相ベクトルのうちの位相ベクトルの全てを考慮し、最高のピーク・ツー・アベレージの出力比低減を達成できる位相ベクトルを前記好適な位相ベクトルとして選択することを特徴とする方法。
（付記２８）複数の信号であって各々がデータを担う信号を１つ以上の受信器に同時に送信するように構成された送信器であって、
複数の利用可能位相ベクトルから好適な位相ベクトルを選択して前記複数の信号に適用する位相ベクトル選択手段であって、前記利用可能位相ベクトルは各々が複数の位相要素を有し、各位相要素は前記信号のうち１つ以上の信号に対応して、前記送信器が前記対応する信号に適用すべき位相調整を設定する位相ベクトル選択手段と、
前記複数の利用可能位相ベクトル内の限定された位相ベクトルのセットを識別する情報を前記受信器に送信するように動作する送信手段であって、前記選択された位相ベクトルは前記限定されたセットに属するところの送信手段と、を有することを特徴とする送信器。
（付記２９）複数の信号であって各々がデータを担う信号を、送信器が１つ以上の受信器に一連の時間に送信する通信方法であって、
前記送信器において、前記時間の各々において送信された前記複数の信号に適用する、複数の利用可能位相ベクトルから好適な位相ベクトルを選択する段階と、各利用可能位相ベクトルは複数の位相要素を有し、各要素は前記信号ののうち１つ以上の信号に対応し、前記送信器により適用される位相調整を前記時間に送信される対応する信号に設定する段階と、
各時間において前記複数の信号の送信のために、前記送信器により選択された位相ベクトルを識別する、前記受信器により使用される識別情報を前記送信器から前記受信器に送信する段階と、を有し、
前記時間の１つにおける送信のための前記識別情報は、前記情報の量、前記情報のフォーマット、及び前記情報の精度の少なくとも１つにおいて、前記時間の他の１つにおける送信のための識別情報と異なることを特徴とする通信方法。
（付記３０）付記２９に記載の通信方法であって、前記複数の利用可能位相ベクトルは、少なくとも第１及び第２の利用可能位相ベクトルのセットを有し、前記選択される位相ベクトルが前記第１のセットに属する各時間における送信のための前記識別信号は第１の情報量を有し、前記選択される位相ベクトルが前記第２のセットに属する各時間における送信のための前記識別信号は第２の情報量を有することを特徴とする方法。
（付記３１）付記２９または３０に記載の通信方法であって、前記複数の利用可能位相ベクトルは、少なくとも第１と第２の利用可能位相ベクトルのセットを有し、前記選択された位相ベクトルが前記第１のセットに属する各時間における送信のための前記識別情報は第１のフォーマットを有し、前記選択された位相ベクトルが前記第２のセットに属する各時間における送信のための前記識別情報は第２のフォーマットを有することを特徴とする方法。
（付記３２）付記２９ないし３１いずれか一項に記載の通信方法であって、前記複数の利用可能位相ベクトルは、少なくとも第１と第２の利用可能位相ベクトルのセットを有し、前記選択された位相ベクトルが前記第１のセットに属する各時間における送信のための前記識別情報は第１の精度を有し、前記選択された位相ベクトルが前記第２のセットに属する各時間における送信のための前記識別情報は第２の精度を有することを特徴とする方法。
（付記３３）付記３０ないし３２いずれか一項に記載の方法であって、前記第１のセットの位相ベクトルの数は前記第２のセットの位相ベクトルの数より少なく、前記第１の情報量は前記第２の情報量よりも少ないことを特徴とする方法。
（付記３４）付記３３に記載の方法であって、前記識別情報は、前記選択された位相ベクトルが前記第１のセットに属している時、及び前記選択された位相ベクトルが前記第２のセットに属している時に、前記選択された位相ベクトルを一意的に識別することを特徴とする方法。
（付記３５）付記３２に記載の方法であって、前記識別情報は、前記選択された位相ベクトルが前記セットの１つに属する時、単に前記セットを識別することを特徴とする方法。
（付記３６）付記３５に記載の方法であって、前記第１のセットが有する位相ベクトル数は前記第２のセットが有する位相ベクトル数より少なく、前記識別情報は、前記選択された位相ベクトルが前記第１のセットに属する時、前記セットのみを識別することを特徴とする方法。
（付記３７）付記３２に記載の方法であって、前記第１のセットが有する位相ベクトル数は前記第２のセットが有する位相ベクトル数より少なく、前記識別情報は、前記選択された位相ベクトルが前記第１のセットに属する時は第１の精度で、前記選択された位相ベクトルが前記第２のセットに属する時は第１の精度より低い第２の精度で、前記選択された位相ベクトルを識別することを特徴とする方法。
（付記３８）付記３７に記載の方法であって、前記識別情報は、前記識別情報は、前記選択された位相ベクトルが前記第１のセットに属する時、及び前記選択された位相ベクトルが前記第２のセットに属する時には、情報量が同じであることを特徴とする方法。
（付記３９）付記３２に記載の方法であって、少なくとも１つのセットが複数のサブセットに分割され、前記選択された位相ベクトルがそのセットに属している時、前記識別情報は前記選択された位相ベクトルが属するサブセットを識別することを特徴とする方法。
（付記４０）付記２９ないし３９に記載の方法であって、好適な位相ベクトルの選択において、利用可能位相ベクトルの好適性は前記複数の信号に前記複数の位相ベクトルを適用することにより達成されるピーク・ツー・アベレージの出力比低減に基づくことを特徴とする方法。
（付記４１）一連の時間に１つ以上の受信器に複数の信号であって各々がデータを担う信号を同時に送信するように構成された送信器であって、
前記時間の各々において送信される前記複数の信号に適用する、複数の利用可能位相ベクトルから好適な位相ベクトルを選択する位相ベクトル選択手段であって、各利用可能位相ベクトルは複数の位相要素を有し、各要素は前記信号ののうち１つ以上の信号に対応し、前記送信器により適用される位相調整を前記時間に送信される対応する信号に設定するところの位相ベクトル選択手段と、
各時間において前記複数の信号の送信のために、前記送信器により選択された位相ベクトルを識別する、前記受信器により使用される識別情報を、前記送信器から前記受信器に送信する送信手段と、を有し、
前記時間の１つにおける送信のための前記識別情報は、前記情報の量、前記情報のフォーマット、及び前記情報の精度の少なくとも１つにおいて、前記時間の他の１つにおける送信のための識別情報と異なることを特徴とする送信器。
（付記４２）一連の時間において送信器により同時に送信される複数の信号を受信するように構成された受信器であって、各信号はデータを担い、前記送信器は複数の利用可能位相ベクトルから選択した位相ベクトルを前記複数の信号を送信の時に適用し、各利用可能位相ベクトルは複数の位相要素を有し、各位相要素は前記信号の１つ以上に対応し、前記時間において送信される前記対応する信号に前記送信器により適用される位相調整を設定し、前記受信器は、
各時間において前記複数の信号の送信のために、前記送信器により選択された前記位相ベクトルを識別する、前記受信器により使用される識別情報を、前記送信器から受信する情報受信手段を有し、
前記時間の１つにおける送信のための前記受信した識別情報は、前記時間の他の１つにおける送信のための前記受信した識別情報と、少なくとも前記情報の量、前記情報のフォーマット、及び前記情報の精度において異なり、
前記受信器は、さらに、
情報の量、フォーマット、または精度により、各時間における送信のための前記識別情報を処理するよう動作する識別情報処理手段と、
前記受信した複数の信号から前記データを回復するために慚愧処理された識別情報を利用するよう動作するデータ回復手段と、を有することを特徴とする受信器。
【図面の簡単な説明】
【０２０６】
【図１】ＳＬＭを用いたＯＦＤＭ通信システムの一部を示す図である。
【図２】ＳＬＭ法で使用するブラインド受信器の一部を示す図である。
【図３】本発明の第１の実施形態による通信システムの一部を示す図である。
【図４】図３のシステムの送信器において実行される動作の説明に使用するフローチャートである。
【図５】図３のシステムにおけるシグナリングの説明に使用するフローチャートである。
【図６】サブキャリア数が１２８のときに、図３のシステムの信号対ノイズ比に対するビットエラーレートの変化を示すグラフである。
【図７】サブキャリア数が２５６である、図６に対応するグラフである。
【図８】本発明の第２の実施形態による通信システムの一部を示す図である。
【図９】図８のシステムにおけるシグナリングの説明に使用する概略図である。
【図１０】本発明の第３の実施形態による通信システムの一部を示す図である。
【図１１】変調スキームが１６ＱＡＭのときに、図１０のシステムの信号対ノイズ比に対するビットエラーレートの変化を示すグラフである。
【図１２】変調スキームがＱＰＳＫのときに、図１０のシステムの信号対ノイズ比に対するビットエラーレートの変化を示すグラフである。
【図１３】（Ａ）から（Ｄ）は、本発明の実施形態における様々なシグナリングの可能性を示す概略図である。
【符号の説明】
【０２０７】
４０  送信器
４４  セット・位相ベクトル選択部
４６  送信部
５０  受信器
５２  受信部
５４    チャネル推定部
１４０  送信機
１４４  セット・位相ベクトル選択部
１４６  送信部
１５０  受信器
１５２  ＮポイントＦＦＴ部
１５４  チャネル推定部
１６０  選択部
１６２  制御部
２４０  送信器
２４４  位相ベクトル選択部
２４６  送信部
２５０  受信器
２５２  ＮポイントＦＦＴ部
２６０  選択部
２６２  制御部
【図１】
2007124656.tif 000073
【図２】
2007124656.tif 000074
【図３】
2007124656.tif 000075
【図４】
2007124656.tif 000076
【図５】
2007124656.tif 000077
【図６】
2007124656.tif 000078
【図７】
2007124656.tif 000079
【図８】
2007124656.tif 000080
【図９】
2007124656.tif 000081
【図１０】
2007124656.tif 000082
【図１１】
2007124656.tif 000083
【図１２】
2007124656.tif 000084
【図１３】
2007124656.tif 000085